(57)【要約】【課題】複数の外部端末装置の間が容易に連携でき、単独での操作にも支障をきたさない運用保守性の高い電力系統保護制御システムを得る。【解決手段】電力系統保護制御装置１は、複数の外部端末装置に伝送路２を介して同時に接続可能な伝送インタフェースと、電力系統の状況に基づいて遮断器に対する制御を行なう制御部とを備える。制御部は、複数の外部端末装置３Ａ〜３Ｃのうちの第１の外部端末装置が接続状態にあり、第１の外部端末装置において複数の外部端末装置３Ａ〜３Ｃの他の外部端末装置の接続状態を表示する画面選択がされている場合には、電力系統保護制御装置１に同時に接続している外部端末装置の接続状況情報を周期的に第１の外部端末装置に対して返信する。【選択図】図１８
2014017892.tif 000002
【特許請求の範囲】
【請求項１】
電力系統の保護、監視、制御を行なう電力系統保護制御システムであって、
複数の外部端末装置と、
電力系統保護制御装置とを備え、
前記電力系統保護制御装置は、
前記複数の外部端末装置に伝送路を介して同時に接続可能な伝送インタフェースと、
前記電力系統の状況に基づいて遮断器に対する制御を行なう制御部とを含み、
前記制御部は、前記複数の外部端末装置のうちの第１の外部端末装置が接続状態にあり、前記第１の外部端末装置において前記複数の外部端末装置の他の外部端末装置の接続状態を表示する画面選択がされている場合には、前記電力系統保護制御システムに同時に接続している外部端末装置の接続状況情報を周期的に前記第１の外部端末装置に対して返信する、電力系統保護制御システム。
【請求項２】
前記接続状況情報は、
前記複数の外部端末装置によって設定可能な複数の設定データであって、前記遮断器に対する制御に関連する複数の設定データの各々の種別を示す設定種別情報と、
前記設定データを設定中である外部端末装置を特定する端末特定情報とを含み、
前記制御部は、前記複数の外部端末装置のうちの前記第１の外部端末装置が接続状態にあり、前記第１の外部端末装置において前記設定データを前記第１の外部端末装置から設定可能か否かを表示する画面選択がされている場合には、前記接続状況情報を周期的に前記第１の外部端末装置に対して返信する、請求項１に記載の電力系統保護制御システム。
【請求項３】
前記第１の外部端末装置は、前記接続状況情報を受けて、前記第１の外部端末装置以外の外部端末装置が設定中である設定データに対応する設定画面を使用不可と判定し、前記第１の外部端末装置において設定可能な設定データに対応する設定画面を使用可と判定し、使用可と判定した画面名を一覧表示する、請求項２に記載の電力系統保護制御システム。
【請求項４】
前記第１の外部端末装置は、前記接続状況情報に基づいて、使用不可と判定した設定画面に遷移できないように、使用不可と判定した設定画面を選択できない態様でメニュー画面を表示する、請求項３に記載の電力系統保護制御システム。
【請求項５】
前記第１の外部端末装置は、前記接続状況情報を受けて、前記第１の外部端末装置以外の外部端末装置が設定中である設定データに対応する設定画面を使用不可と判定し、使用不可と判定された設定画面を選択する要求が入力された場合には、前記端末特定情報に基づいて選択された設定画面に対応する設定データを設定中である外部端末装置に関する情報を追加表示する、請求項２に記載の電力系統保護制御システム。
【請求項６】
前記第１の外部端末装置は、前記接続状況情報を周期的に受けて、前記第１の外部端末装置以外の外部端末装置が設定中であった設定データの設定が終了した場合には、前記設定データの更新がされた可能性がある旨を報知する表示を行なう、請求項２に記載の電力系統保護制御システム。
【請求項７】
電力系統の保護、監視、制御を行なう電力系統保護制御装置であって、
複数の外部端末装置に伝送路を介して同時に接続可能な伝送インタフェースと、
前記電力系統の状況に基づいて遮断器に対する制御を行なう制御部とを備え、
前記制御部は、前記複数の外部端末装置のうちの第１の外部端末装置が接続状態にあり、前記第１の外部端末装置において前記複数の外部端末装置の他の外部端末装置の接続状態を表示する画面選択がされている場合には、前記電力系統保護制御装置に同時に接続している外部端末装置の接続状況情報を周期的に前記第１の外部端末装置に対して返信する、電力系統保護制御装置。
【請求項８】
前記接続状況情報は、
前記複数の外部端末装置によって設定可能な複数の設定データであって、前記遮断器に対する制御に関連する複数の設定データの各々の種別を示す設定種別情報と、
前記設定データを設定中である外部端末装置を特定する端末特定情報とを含み、
前記制御部は、前記複数の外部端末装置のうちの前記第１の外部端末装置が接続状態にあり、前記第１の外部端末装置において前記設定データを前記第１の外部端末装置から設定可能か否かを表示する画面選択がされている場合には、前記接続状況情報を周期的に前記第１の外部端末装置に対して返信する、請求項７に記載の電力系統保護制御装置。
【請求項９】
前記制御部は、前記第１の外部端末装置にプログラムを送信し、
前記プログラムは、前記接続状況情報を受けて、前記第１の外部端末装置以外の外部端末装置が設定中である設定データに対応する設定画面を使用不可と判定し、前記第１の外部端末装置において設定可能な設定データに対応する設定画面を使用可と判定し、使用可と判定した画面名を一覧表示するように前記第１の外部端末装置を制御する、請求項８に記載の電力系統保護制御装置。
【請求項１０】
前記プログラムは、前記接続状況情報に基づいて、使用不可と判定した設定画面に遷移できないように、使用不可と判定した設定画面を選択できない態様でメニュー画面を表示するように、前記第１の外部端末装置を制御する、請求項９に記載の電力系統保護制御装置。
【請求項１１】
前記制御部は、前記第１の外部端末装置にプログラムを送信し、
前記プログラムは、前記接続状況情報を受けて、前記第１の外部端末装置以外の外部端末装置が設定中である設定データに対応する設定画面を使用不可と判定し、使用不可と判定された設定画面を選択する要求が入力された場合には、前記端末特定情報に基づいて選択された設定画面に対応する設定データを設定中である外部端末装置に関する情報を追加表示するように、前記第１の外部端末装置を制御する、請求項８に記載の電力系統保護制御装置。
【請求項１２】
前記制御部は、前記第１の外部端末装置にプログラムを送信し、
前記プログラムは、前記接続状況情報を周期的に受けて、前記第１の外部端末装置以外の外部端末装置が設定中であった設定データの設定が終了した場合には、前記設定データの更新がされた可能性がある旨を報知する表示を行なうように、前記第１の外部端末装置を制御する、請求項８に記載の電力系統保護制御装置。
【発明の詳細な説明】
【技術分野】
【０００１】
この発明は、電力系統の保護・制御を行なう電力系統保護制御システム（以下、保護制御システムと略記する）および電力系統保護制御装置（以下、保護制御装置と略記する）に関する。より特定的には、この発明は、イーサネット（登録商標）等の伝送路を介した外部端末装置により保護制御装置本体の本来機能である保護制御機能に関わる状態情報の確認および設定情報の確認、変更を行なう保護制御システムおよび保護制御装置に関する。
【背景技術】
【０００２】
電力系統保護制御システムは、発電所から需要家に至る電力系統において異常が発生した場合に、電力系統を保護しすみやかに復旧可能なようにその一部を切り離したり、異常が解消した場合には復旧させるために切り離し箇所を接続したりすることを自動的に行なうシステムである。
【０００３】
昨今の電力会社内における運用遠隔化のニーズに即して、このような電力系統保護制御システムには、複数の外部端末装置から保護制御装置へ同時に接続することも要求されている。
【０００４】
従来システムは、保護制御装置へ複数の外部端末装置から同時に接続することが可能である。そして、複数の外部端末装置からの同時接続による保護制御機能の不具合が生じないように、保護制御装置において排他制御を行なっている。
【０００５】
排他制御の典型的な具体例は、１台の外部端末装置からある保護制御装置に対して（保護制御機能のしきい値に相当する）整定値の変更操作を行なっている最中は、他の外部端末装置から保護制御装置の整定値を確認・変更することができないように制御することである。
【先行技術文献】
【特許文献】
【０００６】
【特許文献１】特開２００３−３３３６７６号公報
【発明の概要】
【発明が解決しようとする課題】
【０００７】
このような保護制御システムでは、近年、電力会社内における運用遠隔化のニーズが一段と強まっていて、保護制御装置に対して複数の外部端末装置から同時に接続する機会が増加する傾向にある。
【０００８】
そのため、従来システムでは保護制御装置での排他制御により保護制御機能の不具合が生じることは防いでいるものの、同時に接続している複数の外部端末装置の間での連携が困難であったり、連携しない場合でも単独での操作に支障をきたしたりする。結局のところ運用保守性を十分に満たしていないといった課題が生じてきた。具体的な例を以下に列挙する。
・同時に接続している他の外部端末装置がどういう状態なのかを把握したい。
・その時々で外部端末装置でどの操作が可能なのか不可なのかを予め把握したい。
・他の外部端末装置が設定中であることによって設定開始不可になった際、どの外部端末装置が設定中なのか把握したい。
・他の外部端末装置から保護制御装置に対して設定データの設定操作を行なっている最中でも、自らの外部端末装置で同じ設定データを表示したい。また、他の外部端末装置による設定データの設定が終了したら、自らの外部端末装置で検知して設定データを再取得させたい。
【０００９】
この発明は、上記のような課題を解決するためになされたものである。この発明の目的は、複数の操作者がイーサネット（登録商標）等の伝送路を介した複数の外部端末装置により保護制御装置に対して同時に接続している場合でも、複数の外部端末装置の間が容易に連携でき、単独での操作にも支障をきたさない運用保守性の高い保護制御システムを得ることである。
【課題を解決するための手段】
【００１０】
この発明に係る電力系統の保護、監視、制御を行なう保護制御システムは、複数の外部端末装置と、保護制御装置とを備える。保護制御装置は、複数の外部端末装置に伝送路を介して同時に接続可能な伝送インタフェースと、電力系統の状況に基づいて遮断器に対する制御を行なう制御部とを含む。制御部は、複数の外部端末装置のうちの第１の外部端末装置が接続状態にあり、第１の外部端末装置において複数の外部端末装置の他の外部端末装置の接続状態を表示する画面選択がされている場合には、保護制御システムに同時に接続している外部端末装置の接続状況情報を周期的に第１の外部端末装置に対して返信する。
【発明の効果】
【００１１】
本発明によれば、複数の外部端末装置により保護制御装置に対して同時に接続している場合でも、複数の外部端末装置の連携が容易となり、単独での操作にも支障をきたさない運用保守性の高い保護制御システムを実現することができる。
【図面の簡単な説明】
【００１２】
【図１】本実施の形態の保護制御システムが適用される電力系統の全体的な構成を示した図である。
【図２】図１の電力系統の全体的な構成を簡略化して示した本実施の形態の保護制御システムのシステム構成図である。
【図３】図２の保護制御装置１の構成を概略的に示すブロック図である。
【図４】外部端末装置３Ａの構成の一例を示すブロック図である。
【図５】外部端末装置３Ａで表示可能な画面について説明するための図である。
【図６】外部端末装置と保護制御装置との接続を開始する処理を説明するための図である。
【図７】外部端末装置と保護制御装置との接続を継続する処理を説明するための図である。
【図８】外部端末装置と保護制御装置との接続を終了する処理を説明するための図である。
【図９】外部端末装置から保護制御装置に設定データを設定開始する処理を説明するための図である。
【図１０】外部端末装置から保護制御装置に設定データを設定中の状態を説明するための図である。
【図１１】設定データを設定中の外部端末装置の画面の状態を説明するための図である。
【図１２】外部端末装置から保護制御装置に設定データを設定終了する処理を説明するための図である。
【図１３】外部端末装置に保護制御装置にある設定データを表示する処理を説明するための図である。
【図１４】外部端末装置に保護制御装置にある設定非対象のデータを表示する処理を説明するための図である。
【図１５】保護制御システムにおいて、外部端末装置３Ａ、３Ｂの接続状況の一例を示す図である。
【図１６】実施の形態１で外部端末装置の画面に表示される画面の一例を示す図である。
【図１７】実施の形態１で実行される他外部端末装置接続状況表示に関する制御を説明するためのフローチャートである。
【図１８】外部端末装置から保護制御装置に他外部端末装置接続状況を示す情報を要求する処理を説明するための図である。
【図１９】保護制御システムにおいて、外部端末装置３Ａ、３Ｂの接続状況の他の一例を示す図である。
【図２０】実施の形態２で外部端末装置の画面に表示される画面の一例を示す図である。
【図２１】実施の形態２で実行される操作可否状況表示に関する制御を説明するためのフローチャートである。
【図２２】外部端末装置から保護制御装置に操作可否状況表示を示す情報を要求する処理を説明するための図である。
【図２３】各メニューが表示可能な画面を一覧して示した図である。
【図２４】保護制御システムにおいて、外部端末装置３Ａ、３Ｂの接続状況のさらに他の一例を示す図である。
【図２５】実施の形態３で外部端末装置の画面に表示される画面の第１例を示す図である。
【図２６】実施の形態３で外部端末装置の画面に表示される画面の第２例を示す図である。
【図２７】実施の形態３で実行される使用可能画面の一覧表示に関する制御を説明するためのフローチャートである。
【図２８】外部端末装置から保護制御装置に使用可能画面の一覧を示す情報を要求する処理を説明するための図である。
【図２９】保護制御システムにおいて、外部端末装置３Ａ、３Ｂの接続状況のさらに他の一例を示す図である。
【図３０】実施の形態４で外部端末装置の画面に表示される画面の第１例を示す図である。
【図３１】実施の形態４で外部端末装置の画面に表示される画面の第２例を示す図である。
【図３２】実施の形態４で実行されるメニューツリー表示に関する制御を説明するためのフローチャートである。
【図３３】外部端末装置から保護制御装置にメニューツリーの使用可能画面を示す情報を要求する処理を説明するための図である。
【図３４】保護制御システムにおいて、外部端末装置３Ａ、３Ｂの接続状況のさらに他の一例を示す図である。
【図３５】実施の形態５で外部端末装置の画面に表示される画面例を示す図である。
【図３６】実施の形態５で実行される設定中の他の外部端末装置の情報表示に関する制御を説明するためのフローチャートである。
【図３７】整定値設定中の他の外部端末装置を示す情報を外部端末装置に送信する処理を説明するための図である。
【図３８】保護制御システムにおいて、外部端末装置３Ａ、３Ｂの接続状況の遷移の一例を示す図である。
【図３９】実施の形態５の変形例で外部端末装置の画面に表示される画面例を示す図である。
【図４０】実施の形態５の変形例で実行されるデータ再取得を促す表示に関する制御を説明するためのフローチャートである。
【図４１】整定値設定中の他の外部端末装置が設定を終了したことを外部端末装置に報知する処理を説明するための図である。
【発明を実施するための形態】
【００１３】
以下、この発明の実施の形態について図面を参照して詳しく説明する。なお、図中同一符号は同一または相当部分を示す。
【００１４】
［システムの全体説明］
図１は、本実施の形態の保護制御システムが適用される電力系統の全体的な構成を示した図である。図１を参照して、電力系統は、電気所（変電所）７Ａ〜７Ｎと、電力供給側拠点７ＧＳ１と、装置提供側拠点７ＧＳ２と、通信回線網７３５とを含む。
【００１５】
電気所７Ａ〜７Ｎの所内には変圧器（図示せず）、保護制御装置１Ａ〜１Ｎ、遮断器ＣＢ、計器用変流器ＣＴ、計器用変圧器ＰＴ、等が設置されている。保護制御装置１Ａ〜１Ｎは、送電線や母線において事故を検出すると遮断器ＣＢを遮断させる。保護制御装置１Ａ〜１Ｎは、系統状態情報（たとえば、母線に設置されている遮断器ＣＢや区分開閉器Ｓの開閉状態を示す情報、母線電圧、母線電流、零相電流の情報等）を収集する系統状態情報格納装置（図示せず）やＷｅｂサーバ（図示せず）等も内蔵している。
【００１６】
電力供給側拠点７ＧＳ１は、たとえば中央給電所や給電所支店などの電力供給側拠点であり、設備計画拠点、制御拠点、保守拠点、等を含む。設備計画拠点、制御拠点、保守拠点には、それぞれパソコン等の表示装置付の外部端末装置７２３、７２４、７２５が配置されている。
【００１７】
装置提供側拠点７ＧＳ２は、電力系統構築用の装置提供側拠点であり、複数の装置開発拠点を含む。複数の装置開発拠点には、それぞれ外部端末装置７２６、７２７、７２８が配置されている。
【００１８】
電力供給側拠点７ＧＳ１、装置提供側拠点７ＧＳ２、電気所７Ｂ等ではモバイル端末装置７３７Ｓ１、７３７Ｓ２、７３７Ｂも使用される。
【００１９】
外部端末装置７２３〜７２８には、Ｗｅｂブラウザ７２９〜７３４が搭載されている。Ｗｅｂブラウザ７２９〜７３４は保護制御装置１Ａ〜１Ｎに搭載されているＷｅｂサーバ（図示せず）と通信回線網７３５（イントラネット、エクトラネット、インターネット等の有線又は無線の通信回線網）を介して接続を確立する。
【００２０】
電気所７Ａ内には通信回線７３６Ａが設けられ、電気所７Ｂ内には通信回線７３６Ｂが設けられ、電気所７Ｎ内には通信回線７３６Ｎが設けられる。また、電力供給側拠点７ＧＳ１内には通信回線７３６Ｓ１が設けられ、電力系統構築用の装置提供側拠点７ＧＳ２内には通信回線７３６Ｓ２が設けられる。モバイル端末装置７３７Ｂは電気所７Ｂ内で使用される。モバイル端末装置７３７Ｓ１は電力供給側拠点７ＧＳ１内で使用される。モバイル端末装置７３７Ｓ２は電力系統構築用の装置提供側拠点７ＧＳ２内で使用される。
【００２１】
外部端末装置７３８Ａは電気所７Ａ内に設置される。外部端末装置７３８Ｂは電気所７Ｂ内に設置される。外部端末装置７３８Ｎは電気所７Ｎ内に設置される。
【００２２】
次に動作について説明する。保護制御装置１Ａ〜１Ｎは、たとえば、母線に設置されている遮断器の開閉状態を示す系統状態情報を収集することが可能なインタフェースを搭載し、その系統状態情報を保護制御装置内の系統状態情報格納装置（図示せず）に格納する。
【００２３】
一方、電力販売会社等の電力供給側拠点７ＧＳ１における保守拠点に設置されている保守用の外部端末装置７２５は、たとえば、電気所７Ａに接続されている送電線が正常な状態にあるか否かを判定する場合、Ｗｅｂブラウザ７３１を用いて、電気所７Ａの保護制御装置１Ａを一意に特定するアドレス情報を通信回線網７３５に出力することにより、保護制御装置１Ａに搭載されているＷｅｂサーバ（図示せず）との接続を試みる。保護制御装置１Ａに搭載されているＷｅｂサーバ（図示せず）がアドレス情報を受信すると、そのＷｅｂサーバ（図示せず）とＷｅｂブラウザ７３１との接続が確立する。
【００２４】
Ｗｅｂブラウザ７３１と保護制御装置１Ａ内Ｗｅｂサーバとの接続が確立すると、Ｗｅｂブラウザ７３１と保護制御装置１Ａ内Ｗｅｂサーバ（図示せず）間のＨＴＴＰ通信が開始され、保守用の外部端末装置７２５は、Ｗｅｂブラウザ７３１を用いて、系統状態情報の送信要求を保護制御装置１ＡのＷｅｂサーバ（図示せず）に出力する。
【００２５】
保護制御装置１Ａに搭載されているＷｅｂサーバ（図示せず）は、保守用の外部端末装置７２５から系統状態情報の送信要求を通信回線網７３５を介して受けると、保護制御装置１Ａ内の系統状態情報格納装置（図示せず）に格納されている系統状態情報を通信回線網７３５を介して保守用の外部端末装置７２５に転送する。
【００２６】
転送された系統状態情報によって、保守用の外部端末装置７２５は、電気所７Ａに接続されている送電線が正常な状態にあるか否かを判定することができる。なお、保守用の外部端末装置７２５には、Ｊａｖａ（登録商標）ＶＭが搭載されている。このため、系統状態情報を画面上に表示するプログラムなどは、Ｊａｖａ（登録商標）の実行時に保護制御装置内の系統状態情報格納装置（図示せず）から通信回線網７３５を介してダウンロードされる。したがって、このようなプログラムを事前に外部端末装置７２５にインストールする必要はない。
【００２７】
以上は、Ｗｅｂブラウザ７３１を用いて保護制御装置内の系統状態情報格納装置（図示せず）に格納されている系統状態情報を取得するものについて示した。しかし、Ｗｅｂブラウザ７３１を用いて通信回線網７３５を介して保護制御装置内の系統状態情報格納装置（図示せず）に格納されている系統状態情報に含まれる保護制御装置の運転設定情報を変更しても良い。これにより、保守用の外部端末装置７２５や上記他の外部端末装置、モバイル端末装置に専用のプログラムを搭載することなく、保護制御装置の運転設定情報を変更することができる。
【００２８】
また、Ｗｅｂブラウザ７３１を用いて通信回線網７３５を介して、保護制御装置１Ａ内の系統状態情報格納装置（図示せず）に格納されている保護制御装置内部状態情報を取得し、その保護制御装置内部状態情報に基づいて保護制御装置１Ａ等の寿命診断を実施することも可能である。
【００２９】
たとえば、保護制御装置１Ａにおけるアナログ入力部の基準入力に対するＡＤ変換データを保護制御装置内部状態情報として、保守用の外部端末装置７２５に通信回線網７３５を介して転送する。そして、そのＡＤ変換データと過去のＡＤ変換データとのトレンドを分析し、その分析結果と良否判定値を比較することにより、寿命診断を実施する。余寿命が残り僅かな場合には、保守用の外部端末装置７２５および保護制御装置１Ａに警報を出力する。
【００３０】
また、メーカ等の電力系統構築用の装置提供側拠点７ＧＳ２に設置されている開発、設計又は製作用の外部端末装置７２６〜７２８が通信回線網７３５を介して保護制御装置内部状態情報を取得して、寿命診断を実施することも可能である。同様に、設備計画あるいは制御用の外部端末装置７２３、７２４や、上記各拠点、各電気所のモバイル端末装置でも必要に応じて寿命診断を実施する。
【００３１】
また、保護制御装置１Ａに搭載された解析ツールを通信回線網７３５を介して保守用の外部端末装置７２５にダウンロードするようにしてあり、保守用の外部端末装置７２５は、解析ツールをダウンロードすると、その解析ツールをブラウザ上で実行することにより、その系統状態情報を解析して、その解析結果を表示する。これにより、保守員又は設計技術者は、保護制御装置１Ａの設置個所まで移動することなく、常駐する拠点において、解析作業を実施することができる。また、設計用の外部端末装置７２７や、上記他の外部端末装置７２３、７２４、７２６、７２８、各モバイル端末装置が解析処理を実行することもできる。また、電力供給側拠点７ＧＳ１や装置提供側拠点７ＧＳ２に設置されているサーバから通信回線網７３５を介して解析ツールをダウンロードすることもできる。なお、解析ツールとしては、波形解析、ベクトル解析、周波数解析などを実行するものがある。
【００３２】
上記では、Ｗｅｂブラウザ７３１を用いて保護制御装置１Ａ内の系統状態情報格納装置（図示せず）に格納されている系統状態情報を取得するものについて説明した。しかし、Ｗｅｂブラウザ７３１等を用いて、保護制御装置１Ａに格納されている電子データ（たとえば、遮断器の開閉情報や、電流・電圧の情報）へのアクセスを可能にする保護制御装置内部状態表示ソフトウエアを通信回線網７３５を介して保守用の外部端末装置７２５や設計用の外部端末装置７２７にダウンロードし、保守用の外部端末装置７２５や設計用の外部端末装置７２７が保護制御装置内部状態表示ソフトウエアを必要に応じて実行することもできる。保護制御装置内部状態表示ソフトウエアは、たとえば、保護制御装置１Ａ等の動作結果、故障発生状況、運転条件設定状態などを表示する機能を有しており、保守員または設計技術者は、自己の知識と照合しながら、保護制御装置１Ａ等の状態を正確に把握することができる。
【００３３】
以上は、Ｗｅｂブラウザ７３１等を用いて内部状態表示ソフトウエアをダウンロードするものについて示したが、保護制御装置１Ａ等の内部状態を設定することができる内部状態設定ソフトウエアを保守用の外部端末装置７２５や設計用の外部端末装置７２７にダウンロードし、保守用の外部端末装置７２５や設計用の外部端末装置７２７が内部状態設定ソフトウエアを実行することにより、保護制御装置１Ａ等の整定値（整定値は遮断器の動作を決定する際に外部端末装置内で実行する比較演算において、系統電流等と比較する設定値に相当する）を変更することもできる。
【００３４】
これにより、複数の保護制御装置の整定値を一括して管理することが容易になり、システムの信頼性が向上する。また、保守員や設計技術者が現場の電気所まで出向かなくても、整定値を変更することができるため、系統構成の変更に対して迅速な対応が可能になる。
【００３５】
また、内部状態表示ソフトウエアを通信回線網７３５を介して保守用の外部端末装置７２５にダウンロードし、内部状態設定ソフトウエアを通信回線網７３５を介して設計用の外部端末装置７２７にダウンロードすることもできる。
【００３６】
これにより、内部状態表示ソフトウエアおよび内部状態設定ソフトウエアのプログラム規模が大きい場合、別々の外部端末装置にダウンロードされるので、ダウンロードに要する時間を短縮することができる。
【００３７】
また、Ｗｅｂブラウザ７３２を用いて、保護制御装置１Ａ等の保護制御機能ソフトウエアを設定または変更する保護制御機能ソフトウエア設定ソフトウエアを通信回線網７３５を介して保護制御装置１Ａ等から設計用の外部端末装置７２７にダウンロードし、Ｗｅｂブラウザ７３１を用いて、内部状態表示ソフトウエアを通信回線網７３５を介して保守用の外部端末装置７２５にダウンロードすることもできる。
【００３８】
これにより、保護制御装置１Ａ等の機能を拡張または変更する必要があるとき、保守員や設計技術者が現場の電気所まで出向かなくても、迅速に保護制御装置１Ａ等の機能を拡張または変更することができる。
【００３９】
また、設計用の外部端末装置７２７が保護制御機能ソフトウエア設定ソフトウエアを通信回線網７３５を介して保守用の外部端末装置７２５に転送し、保守用の外部端末装置７２５が保護制御装置１Ａ等のリレーソフトウエアを通信回線網７３５を介して設定または変更することもできる。また、保守用の外部端末装置７２５が保護制御装置１Ａ等を監視するものについて示したが、設計用の外部端末装置７２７が内部状態表示ソフトウエアを通信回線網７３５を介してダウンロードして、保護制御装置１Ａ等を監視することもできる。
【００４０】
また、設計用の外部端末装置７２７が保護制御装置１Ａ等に関する図面、説明書、製作年および機能概要のうち、少なくとも１個の電子データを格納し、その電子データを通信回線網７３５を介して保守用の外部端末装置７２５に送信することもできる。
【００４１】
即ち、設計用の外部端末装置７２７が保守用の外部端末装置７２５から電子データの送信要求を受けると、電子データを管理する立場にあるメーカの技術者が、その送信要求が正当であるか否かを判断し、その送信要求が正当であると判断する場合、設計用の外部端末装置７２７を操作して、その電子データを通信回線網７３５を介して保守用の外部端末装置７２５に送信することもできる。
【００４２】
なお、予め許可された者以外へ情報が流出されるのを防止するため、電子データの参照権利をインターネットのＩＰで管理する。また、電子データが通信回線網７３５上で盗聴されるのを防止するため、電子データをインターネットの暗号化技術により隠匿することもできる。
【００４３】
図２は、図１の電力系統の全体的な構成を簡略化して示した本実施の形態の保護制御システムのシステム構成図である。
【００４４】
図２を参照して、保護制御システムは、保護制御装置１と、外部端末装置３Ａ〜３Ｃと、伝送路２とを含む。
【００４５】
外部端末装置３Ａ〜３Ｃは、たとえばパーソナルコンピュータ（ＰＣ）である。外部端末装置３Ａ〜３Ｃの各々には、ＩＰアドレス、ＭＡＣアドレス、ユーザＩＤ、アクセス権限、接続開始日時、操作モード、表示中画面の各々を示す情報が保持されている。
【００４６】
外部端末装置３Ａ〜３Ｃは、図１の外部端末装置７２３〜７２８、モバイル端末装置７３７Ｂ、７３７Ｓ１、７３７Ｓ２、外部端末装置７３８Ａ〜７３８Ｎなどに相当する。
【００４７】
そして、保護制御装置１のメモリ中には、伝送路２を経由して接続されている外部端末装置３Ａ〜３Ｃにそれぞれ対応する情報が保持されている。このメモリが保持する各端末に対応する情報は、ＩＰアドレス、ＭＡＣアドレス、ユーザＩＤ、アクセス権限、接続開始日時、操作モード、表示中画面の各々を示す情報を含む。
【００４８】
保護制御装置１は、図１の保護制御装置１Ａ〜１Ｎに相当する。
図３は、図２の保護制御装置１の構成を概略的に示すブロック図である。
【００４９】
図３を参照して、保護制御装置１は、アナログフィルタ１０２と、Ａ／Ｄ変換器１０４とＣＰＵ（Ｃｅｎｔｒａｌ  Ｐｒｏｃｅｓｓｉｎｇ  Ｕｎｉｔ）１０６と、伝送インタフェース１０９と、メモリ１０８とを含む。
【００５０】
なお、説明の容易のため構成を簡略化しているので図示しないが、アナログフィルタ１０２の入力部やＣＰＵ１０６の入出力部には、絶縁や保護のための変成器、変圧器、光スイッチ、シーケンサ、リレーなどを配置しても良い。
【００５１】
アナログフィルタ１０２は、計器用変流器ＣＴおよび計器用変圧器ＰＴ（ＶＴ）の出力からノイズ成分を除去する。Ａ／Ｄ変換器１０４は、アナログフィルタ１０２でノイズが除去された計測値をデジタル信号に変換してＣＰＵ１０６に出力する。
【００５２】
ＣＰＵ１０６は、遮断器ＣＢの開閉状態を示す信号ＤＩをさらに受ける。メモリ１０８は、遮断器ＣＢの遮断条件を示す各種の整定値を保持している。伝送路２および伝送インタフェース１０９を経由して、ＣＰＵ１０６は、外部端末装置から各種の指令をさらに受ける。
【００５３】
ＣＰＵ１０６は、各種の指令に応じて、メモリ中の整定値を整定したり、遮断器ＣＢの開閉状態を外部端末装置に報告したり、遮断器ＣＢに遮断指令を送信したりする。
【００５４】
図４は、外部端末装置３Ａの構成の一例を示すブロック図である。図４を参照して、外部端末装置３Ａは、ＣＰＵ１１８と、記憶部１１６と、表示部１１２と、入力部１１４と、伝送インタフェース部１２０とを含む。
【００５５】
またＣＰＵ１１８はデータバスやアドレスバス等のバスで記憶部１１６と、表示部１１２と、入力部１１４と、伝送インタフェース部１２０とに接続されデータ授受を行なう。
【００５６】
記憶部１１６は、たとえばＣＰＵ１１８で実行されるプログラムや参照される整定値、接続ＩＤ、ソケットＩＤ、ＩＰアドレス、ユーザＩＤ、ＭＡＣアドレス等のデータが格納されている。記憶部１１６は、またたとえばＣＰＵ１１８がデータ処理を行なう場合の作業領域としても使用され、各種変数を一時的に記憶する。
【００５７】
伝送インタフェース部１２０は、たとえば他の外部端末装置や保護制御装置との通信を行なう。
【００５８】
外部端末装置３Ａは、このような構成に限られるものでなく、複数のＣＰＵを含んで実現されるものであっても良い。なお、図２の外部端末装置３Ｂ、３Ｃも外部端末装置３Ａと同様な構成を有するので、これらの説明は繰り返さない。
【００５９】
図５は、外部端末装置３Ａで表示可能な画面について説明するための図である。図５を参照して、８つに分類されるメニューに対して、各種の画面が選択可能である。
【００６０】
メニューは、整定メニュー、試験制御メニュー、自動点検メニュー、補助設定メニュー、運用状態メニュー、動作内容メニュー、異常内容メニュー、装置概要メニューの８つに分類されている。
【００６１】
整定メニューは、整定値の変更および確認を行なうためのメニューである。動作内容メニューは、事故様相と関連情報を表示するためのメニューである。異常内容メニューは、自動監視結果と関連情報を表示するためのメニューである。運用状態メニューは、装置内部状態および入力電気量を表示するためのメニューである。補助設定メニュー、上記以外の各種設定を行なうためのメニューである。
【００６２】
自動点検メニューは、自動点検関連の設定変更と確認を行なうためのメニューである。試験制御メニューは、試験を支援するための各種制御を行なうためのメニューである。装置概要メニューは、保護制御機能の概要などを表示するためのメニューである。
【００６３】
以上のメニューのうち、整定、補助設定、自動点検、試験制御の各メニューは、設定・変更の可能なメニューである。
【００６４】
整定メニューとして、「メイン整定」画面、「フェイルセーフ整定」画面が選択可能である。保護制御装置の一種である保護継電装置の信頼性を高める方法の一つとして、複数の継電器を多重化する方法が採られる。たとえば、保護継電装置に課された責務の主たる部分を遂行するメインリレーと、メインリレーが故障して誤動作するのを防止するフェイルセーフリレーが組み合わされる。「メイン整定」画面は、メインリレーの整定値を設定および表示するための画面であり、「フェイルセーフ整定」画面は、フェイルセーフリレーの整定値を設定および表示するための画面である。
【００６５】
試験制御メニューとして、「強制制御設定」画面、「試験設定」画面、「オシロ出力設定」画面が選択可能である。
【００６６】
自動点検メニューとして、「自動点検設定」画面が選択可能である。この画面は、自動点検を行なう周期などを設定するための画面である。
【００６７】
補助設定メニューとして、「現在時刻設定」画面、「記録消去」画面、「ＩＰアドレス設定」画面、「認証設定」画面、「名称設定」画面が選択可能である。
【００６８】
運用状態メニューとして、「リレー動作」画面、「運用状態」画面、「入力電気量」画面、「使用可能画面一覧」画面が選択可能である。動作内容メニューとして、「最新動作内容」画面、「動作履歴」画面が選択可能である。
【００６９】
異常内容メニューとして、「最新異常内容」画面、「異常履歴」画面、「リスタート履歴」画面が選択可能である。装置概要メニューとして、「実装ソフト情報一覧」画面が選択可能である。
【００７０】
［共通動作の説明］
図６は、外部端末装置と保護制御装置との接続を開始する処理を説明するための図である。図６では、保護制御装置１に接続することができる複数の外部端末装置３Ａ、３Ｂ、３Ｃがある中で、外部端末装置３Ａから伝送路２を介して保護制御装置１へ接続するケースを想定する。
【００７１】
図３のＣＰＵ１０６は、図６において接続開始手段１０１Ａとして動作する。また、図３のメモリ１０８には、図６の接続中管理テーブル３０Ａおよび認証設定テーブル２０が記憶される。
【００７２】
図４のＣＰＵ１１８は、図６において接続開始要求手段１００Ａおよび接続開始要求応答手段１０２Ａとして動作する。図４のＣＰＵ１１８および表示部１１２は、メニューツリー画面表示手段１１０として動作する。また、図４の記憶部１１６には、図６のＩＰアドレス１０およびＭＡＣアドレス１７、伝送制御用のソケットＩＤ１３が記憶されている。
【００７３】
接続開始要求手段１００Ａは、外部端末装置３Ａの接続開始画面での接続開始操作に応じて、保護制御装置１に対する接続開始を要求する接続開始要求メッセージ１１００Ａを伝送路２を介して保護制御装置１へ送信する。ここで、接続開始要求メッセージ１１００Ａには、外部端末装置３ＡのＩＰアドレス１０およびＭＡＣアドレス１７、操作者が入力したユーザＩＤ１１およびパスワード１２、伝送制御用のソケットＩＤ１３が盛り込まれる。
【００７４】
接続開始手段１０１Ａは、保護制御装置１が外部端末装置３Ａからの接続開始要求メッセージ１１００Ａを伝送路２を介して受信したことに応じて、接続開始要求メッセージ１１００Ａの要求内容を認証設定テーブル２０と照らして認証する。
【００７５】
ここで、認証設定テーブル２０には、アクセス権限、ユーザＩＤ、パスワードの３点を１セットとした認証設定情報２１（複数セット可）が予め別手段により設定されている。接続開始要求メッセージ１１００Ａの要求内容のユーザＩＤ１１とパスワード１２が共に含まれている認証設定情報２１が認証設定テーブル２０に存在しない場合は、接続開始手段１０１Ａは、接続不可と判定し、要求元の外部端末装置３Ａへ接続開始要求を不許諾とする旨の接続開始要求応答メッセージ１１０２Ａを伝送路２を介して外部端末装置３Ａに返送する。
【００７６】
接続開始要求メッセージ１１００Ａの要求内容のユーザＩＤ１１とパスワード１２が共に含まれている認証設定情報２１が認証設定テーブル２０に存在する場合は、接続開始手段１０１Ａは、接続可と判定し、アクセス権限を取得して、要求元の外部端末装置３Ａへ接続開始要求許諾の旨の接続開始要求応答メッセージ１１０２Ａを伝送路２を介して返送する。
【００７７】
この際、この新たな接続に対して接続ＩＤ（通番）を発行し、新たな接続端末のＩＰアドレス、ＭＡＣアドレス、ユーザＩＤ、アクセス権限、自動終了時限、接続開始日時およびソケットＩＤをまとめて１つの接続情報３１Ａとして、接続中管理テーブル３０Ａに登録する。接続開始要求を許諾する旨の接続開始要求応答メッセージ１１０２Ａには、有効な接続情報が含まれている。
【００７８】
外部端末装置３Ａの接続開始要求応答手段１０２Ａは、保護制御装置１からの接続開始要求応答メッセージ１１０２Ａを伝送路２を介して受信したことに応じて、接続開始要求応答メッセージ１１０２Ａが要求許諾の場合は保護制御装置１固有の画面構成１５における初期画面を表示する。この際、外部端末装置３Ａの接続情報１４Ａとして、接続ＩＤ、ソケットＩＤ、ＩＰアドレス、ＭＡＣアドレス、ユーザＩＤ、アクセス権限が外部端末装置３Ａ上に保持される。また、接続開始要求応答手段１０２Ａは、メニューツリー画面表示をメニューツリー画面表示手段１１０に表示させる。接続開始要求応答メッセージ１１０２Ａが要求不許諾の場合は接続開始不可である旨の警告を表示する。場合によっては、再入力を促す案内を補足表示する。
【００７９】
外部端末装置３Ａのメニューツリー画面表示手段１１０は、保護制御装置１固有の画面構成１５に応じたメニューツリーを表示する。
【００８０】
このように、外部端末装置３Ａから保護制御装置１への接続開始操作に応じて、接続開始要求手段１００Ａ、接続開始手段１０１Ａ、接続開始要求応答手段１０２Ａ、メニューツリー画面表示手段１１０が連携することにより、外部端末装置３Ａから保護制御装置１への接続を開始することができる。
【００８１】
図７は、外部端末装置と保護制御装置との接続を継続する処理を説明するための図である。図６の場合と同様に図７では、保護制御装置１に接続することができる複数の外部端末装置３Ａ、３Ｂ、３Ｃがある中で、外部端末装置３Ａから伝送路２を介して保護制御装置１へ接続中であるケースを想定する。
【００８２】
図３のＣＰＵ１０６は、図７において接続延長手段１３１および接続自動終了手段１２０Ａとして動作する。また、図３のメモリ１０８には、図６の接続中管理テーブル３０Ａおよび表示中画面管理テーブル７０が記憶される。
【００８３】
図４のＣＰＵ１１８は、図７において接続延長要求手段１３０および接続延長要求応答手段１３２として動作する。また、図４の記憶部１１６には、図７の接続情報１４Ａ（接続ＩＤ、ソケットＩＤ、ＩＰアドレス、ユーザＩＤ、アクセス権限、ＭＡＣアドレス）が記憶されている。
【００８４】
保護制御装置１の接続自動終了手段１２０Ａは、周期的に、接続中管理テーブル３０Ａに登録されている各接続情報３１Ａの自動終了時限に到達したか否かを確認する。接続自動終了手段１２０Ａは、自動終了時限に到達した接続情報３１Ａがあれば、接続中管理テーブル３０Ａから抹消する。接続自動終了手段１２０Ａは、自動終了時限に到達した接続情報３１Ａと同一ソケットＩＤを持つ表示中画面情報７１があれば、表示中画面管理テーブル７０から抹消する。
【００８５】
外部端末装置３Ａの接続延長要求手段１３０は、保護制御装置１と接続中は周期的に、外部端末装置３Ａの接続情報１４Ａを盛り込んだ接続延長を要求する接続延長要求メッセージ１１３０を伝送路２を介して送信する。
【００８６】
保護制御装置１の接続延長手段１３１は、外部端末装置３Ａからの接続延長要求メッセージ１１３０を伝送路２を介して受信したことに応じて、接続延長要求メッセージ１１３０の要求内容を接続中管理テーブル３０Ａと照らし、要求内容と一致する接続情報３１Ａが接続中管理テーブル３０Ａに存在する場合は、接続情報３１Ａの自動終了時限を所定時間分だけ延期し、要求元の外部端末装置３Ａへ接続延長要求を許諾する旨の接続延長要求応答メッセージ１１３２を伝送路２を介して返送する。接続延長要求メッセージ１１３０の要求内容と一致する接続情報３１が接続中管理テーブル３０Ａに存在しない場合は、要求元の外部端末装置３Ａへ接続延長要求を不許諾とする旨の接続延長要求応答メッセージ１１３２を伝送路２を介して返送する。
【００８７】
外部端末装置３Ａの接続延長要求応答手段１３２は、保護制御装置１からの接続延長要求応答メッセージ１１３２を伝送路２を介して受信する。
【００８８】
このように、外部端末装置３Ａが保護制御装置１と接続している間は、接続自動終了手段１２０Ａ、接続延長要求手段１３０、接続延長手段１３１、接続延長要求応答手段１３２が連携することにより、外部端末装置３Ａから保護制御装置１への接続を継続または終了することができる。
【００８９】
図８は、外部端末装置と保護制御装置との接続を終了する処理を説明するための図である。図６等の場合と同様に図８では、保護制御装置１に接続することができる複数の外部端末装置３Ａ、３Ｂ、３Ｃがある中で、外部端末装置３Ａが伝送路２を介して保護制御装置１へ接続中であるケースを想定する。
【００９０】
図３のＣＰＵ１０６は、図８において接続終了手段１４１Ａとして動作する。また、図３のメモリ１０８には、図８の接続中管理テーブル３０Ａおよび表示中画面管理テーブル７０が記憶される。
【００９１】
図４のＣＰＵ１１８は、図８において接続終了要求手段１４０および接続終了要求応答手段１４２として動作する。また、図４の記憶部１１６には、図８の接続情報１４Ａが記憶されている。
【００９２】
外部端末装置３Ａの接続終了要求手段１４０は、接続終了操作に応じて、外部端末装置３Ａの接続情報１４Ａ（接続ＩＤ、ソケットＩＤ、ＩＰアドレス、ユーザＩＤ、アクセス権限、ＭＡＣアドレス）を盛り込んだ接続終了を要求する接続終了要求メッセージ１１４０を伝送路２を介して送信する。
【００９３】
保護制御装置１の接続終了手段１４１Ａは、外部端末装置３Ａからの接続終了要求メッセージ１１４０を伝送路２を介して受信したことに応じて、接続終了要求メッセージ１１４０の要求内容を接続中管理テーブル３０Ａと照合する。
【００９４】
接続終了要求メッセージ１１４０の要求内容と一致する接続情報３１Ａが接続中管理テーブル３０Ａに存在する場合は、一致した接続情報３１Ａを接続中管理テーブル３０Ａから抹消し、要求元の外部端末装置３Ａへ接続終了要求を許諾する旨の接続終了要求応答メッセージ１１４２を伝送路２を介して返送する。同時に、接続終了要求メッセージ１１４０の要求内容を表示中画面管理テーブル７０と照らし、要求内容が示す接続情報と同一ソケットＩＤを持つ表示中画面情報７１があれば、表示中画面管理テーブル７０から抹消する。
【００９５】
一方、接続終了要求メッセージ１１４０の要求内容と一致する接続情報３１Ａが接続中管理テーブル３０Ａに存在しない場合は、要求元の外部端末装置３Ａへ接続終了要求を不許諾とする旨の接続終了要求応答メッセージ１１４２を伝送路２を介して返送する。
【００９６】
外部端末装置３Ａの接続終了要求応答手段１４２は、保護制御装置１からの接続終了要求応答メッセージ１１４２を伝送路２を介して受信したことに応じて、要求許諾、不許諾に関わらず保護制御装置１との接続を終了し、すべての画面を終了する。この際、接続中保持していた外部端末装置３Ａの接続情報１４Ａ（接続ＩＤ、ソケットＩＤ、ＩＰアドレス、ユーザＩＤ、アクセス権限、ＭＡＣアドレス）を消去する。
【００９７】
このように、外部端末装置３Ａから保護制御装置１への接続終了操作に応じて、接続終了要求手段１４０、接続終了手段１４１Ａ、接続終了要求応答手段１４２が連携することにより、外部端末装置３Ａから保護制御装置１への接続を終了することができる。
【００９８】
図９は、外部端末装置から保護制御装置に設定データを設定開始する処理を説明するための図である。
【００９９】
なお、「設定データ」とは、外部端末装置から保護制御装置１に設定することが可能なデータを意味し、たとえば、電流、電圧などの整定値、リレー動作時間などの時限値、試験制御や点検のスケジュール、現在時刻、ＩＰアドレス等が該当する。
【０１００】
図６等の場合と同様に図９では、保護制御装置１に接続することができる複数の外部端末装置３Ａ、３Ｂ、３Ｃがある中で、外部端末装置３Ａが伝送路２を介して保護制御装置１へ接続中であるケースを想定する。
【０１０１】
図３のＣＰＵ１０６は、図９において設定開始手段３１１および設定中判定手段３２０として動作する。また、図３のメモリ１０８には、図９の設定中管理テーブル４０が記憶される。
【０１０２】
図４のＣＰＵ１１８は、図９において設定開始要求手段３１０および設定開始要求応答手段３１２として動作する。また、図４の記憶部１１６には、図９の接続情報１４Ａ（接続ＩＤ、ソケットＩＤ、ＩＰアドレス、ユーザＩＤ、アクセス権限、ＭＡＣアドレス）が記憶されている。
【０１０３】
外部端末装置３Ａの設定開始要求手段３１０は、設定データ画面での設定開始操作に応じて、外部端末装置３Ａの接続情報１４Ａと設定種別１６を盛り込んだ設定開始を要求する設定開始要求メッセージ１３１０を伝送路２を介して保護制御装置１に送信する。設定種別１６は、外部端末装置３Ａの操作に基づいて決定される、各設定画面単位の設定値一式を識別するための情報である。
【０１０４】
保護制御装置１の設定開始手段３１１は、外部端末装置３Ａからの設定開始要求メッセージ１３１０を伝送路２を介して受信したことに応じて、要求された設定種別１６に対する他の外部端末装置が設定中であるか否かの判定（以下、「他設定中判定」とも言う）を実行するように設定中判定手段３２０に指示する。
【０１０５】
設定中判定手段３２０からの判定結果が他の外部端末装置が設定中であるという判定（以下、「他設定中」と言う）の場合は、要求元の外部端末装置３Ａへ設定開始要求を不許諾とする旨の設定開始要求応答メッセージ１３１２を伝送路２を介して返送する。設定中判定手段３２０からの判定結果が「他設定中」でない場合は、設定中管理テーブル４０の要求があった設定種別の設定中管理情報４１を要求元の外部端末装置３Ａによる設定中と書き替えて、要求元の外部端末装置３Ａへ設定開始要求を許諾する旨の設定開始要求応答メッセージ１３１２を伝送路２を介して返送する。この際、設定中管理テーブル４０の設定種別の設定中管理情報に関して、設定中フラグを有効にするとともに、設定開始要求メッセージ１３１０の要求内容のソケットＩＤおよび自動解除時限を設定する。自動解除時限は、延長がなされなければ、その設定種別に対して設定中フラグをクリアして他の外部端末装置からの設定要求を許諾する時間的期限を示す。
【０１０６】
保護制御装置１の設定中判定手段３２０は、設定開始手段３１１から入手した設定種別に関して、設定中管理テーブル４０と照らして同一または他の外部端末装置３Ａにより設定中か否かをソケットＩＤをキーとして判定し、設定開始手段３１１に対して判定結果（「同一設定中」、「他設定中」、等）を応答する。
【０１０７】
外部端末装置３Ａの設定開始要求応答手段３１２は、保護制御装置１からの設定開始要求応答メッセージ１３１２を伝送路２を介して受信したことに応じて、設定開始要求応答メッセージ１３１２が要求許諾を示す場合は設定種別に対応する設定データ画面を設定操作ができるように表示変更する。
【０１０８】
設定開始要求応答メッセージ１３１２が要求の不許諾を示す場合は、設定開始要求応答手段３１２は、その設定種別が設定開始不可である旨の警告を表示する。
【０１０９】
このように、外部端末装置３Ａから保護制御装置１への設定開始操作に応じて、設定開始要求手段３１０、設定開始手段３１１、設定中判定手段３２０、設定開始要求応答手段３１２が連携することにより、外部端末装置３Ａにおいてユーザが保護制御装置１の設定データへの設定を開始することができる。
【０１１０】
図１０は、外部端末装置から保護制御装置に設定データを設定中の状態を説明するための図である。図６等の場合と同様に図１０では、保護制御装置１に接続することができる複数の外部端末装置３Ａ、３Ｂ、３Ｃがある中で、外部端末装置３Ａから伝送路２を介して保護制御装置１へ接続中であるケースを想定する。
【０１１１】
図３のＣＰＵ１０６は、図１０において設定延長手段３４１、設定中判定手段３２０および設定自動終了手段３３０として動作する。また、図３のメモリ１０８には、図１０の設定中管理テーブル４０が記憶される。
【０１１２】
図４のＣＰＵ１１８は、図１０において設定延長要求手段３４０および、設定延長要求応答手段３４２として動作する。また、図４の記憶部１１６には、図１０の接続情報１４Ａ（接続ＩＤ、ソケットＩＤ、ＩＰアドレス、ユーザＩＤ、アクセス権限、ＭＡＣアドレス）が記憶されている。
【０１１３】
保護制御装置１の設定自動終了手段３３０は、周期的に、設定中管理テーブル４０で設定中フラグが有効になっている各設定中管理情報４１に関して自動解除時限に到達したか否かを確認する。自動解除時限に到達した設定中管理情報４１があれば、設定中管理テーブル４０の自動解除時限に到達した設定中管理情報４１の設定中フラグを無効にする。
【０１１４】
外部端末装置３Ａの設定延長要求手段３４０は、各設定種別が設定中である間は周期的に、外部端末装置３Ａの接続情報１４Ａと設定種別１６を盛り込んだ設定延長を要求する設定延長要求メッセージ１３４０を伝送路２を介して送信する。
【０１１５】
保護制御装置１の設定延長手段３４１は、外部端末装置３Ａからの設定延長要求メッセージ１３４０を伝送路２を介して受信したことに応じて、要求された設定種別１６に対する他設定中判定を設定中判定手段３２０に判定させる。
【０１１６】
設定中判定手段３２０からの判定結果が「同一設定中」でない場合は、要求元の外部端末装置３Ａへ設定延長要求を不許諾とする旨の設定延長要求応答メッセージ１３４２を伝送路２を介して返送する。
【０１１７】
一方、設定中判定手段３２０からの判定結果が「同一設定中」の場合は、設定延長要求メッセージ１３４０の要求内容を設定中管理テーブル４０と照らし、要求された設定種別の設定中管理情報４１の設定中フラグが有効で、かつソケットＩＤが一致する場合に限り、要求された設定種別の設定中管理情報４１の自動解除時限を所定時間分だけ延期し、要求元の外部端末装置３Ａへ設定延長要求を許諾する旨の設定延長要求応答メッセージ１３４２を伝送路２を介して返送する。
【０１１８】
外部端末装置３Ａの設定延長要求応答手段３４２は、保護制御装置１からの設定延長要求応答メッセージ１３４２を伝送路２を介して受信する。
【０１１９】
このように、外部端末装置３Ａが保護制御装置１の設定データを設定中は、設定自動終了手段３３０、設定延長要求手段３４０、設定延長手段３４１、設定中判定手段３２０、設定延長要求応答手段３４２が連携することにより、外部端末装置３Ａから保護制御装置１への設定データ設定中状態を継続または終了することができる。
【０１２０】
図１１は、設定データを設定中の外部端末装置の画面の状態を説明するための図である。図９で設定開始が許諾され、図１０で設定延長要求が許諾されており、設定データ設定中である場合には、外部端末装置には、図１１に示すような画面Ｇ１が表示される。
【０１２１】
画面Ｇ１には、整定項目に対応する現在設定されている整定値が表示されており、設定データ設定中状態であれば、新整定値を入力することが可能である。
【０１２２】
図１２は、外部端末装置から保護制御装置に設定データを設定終了する処理を説明するための図である。図６等の場合と同様に図１２では、保護制御装置１に接続することができる複数の外部端末装置３Ａ、３Ｂ、３Ｃがある中で、外部端末装置３Ａから伝送路２を介して保護制御装置１へ接続中であるケースを想定する。
【０１２３】
図３のＣＰＵ１０６は、図１２において設定終了手段３５１および設定中判定手段３２０として動作する。また、図３のメモリ１０８には、図９の設定中管理テーブル４０が記憶される。
【０１２４】
図４のＣＰＵ１１８は、図１２において設定終了要求手段３５０および設定終了要求応答手段３５２として動作する。また、図４の記憶部１１６には、図９の接続情報１４Ａ（接続ＩＤ、ソケットＩＤ、ＩＰアドレス、ユーザＩＤ、アクセス権限、ＭＡＣアドレス）が記憶されている。
【０１２５】
外部端末装置３Ａの設定終了要求手段３５０は、設定データ画面での設定終了操作に応じて、外部端末装置３Ａの接続情報１４Ａと設定種別１６を盛り込んだ設定終了を要求する設定終了要求メッセージ１３５０を伝送路２を介して送信する。
【０１２６】
保護制御装置１の設定終了手段３５１は、外部端末装置３Ａからの設定終了要求メッセージ１３５０を伝送路２を介して受信したことに応じて、要求された設定種別１６に対する他設定中判定を設定中判定手段３２０に行なわせる。
【０１２７】
設定中判定手段３２０からの判定結果が「同一設定中」でない場合は、要求元の外部端末装置３Ａへ設定終了要求を不許諾とする旨の設定終了要求応答メッセージ１３５２を伝送路２を介して返送する。
【０１２８】
一方、設定中判定手段３２０からの判定結果が「同一設定中」の場合は、設定終了要求メッセージ１３５０の要求内容を設定中管理テーブル４０と照らし、要求された設定種別の設定中管理情報４１の設定中フラグが有効で、かつソケットＩＤが一致する場合に限り、設定中管理テーブル４０の要求された設定種別の設定中管理情報４１の設定中フラグを無効にして、要求元の外部端末装置３Ａへ設定終了要求を許諾する旨の設定終了要求応答メッセージ１３５２を伝送路２を介して返送する。
【０１２９】
外部端末装置３Ａの設定終了要求応答手段３５２は、保護制御装置１からの設定終了要求応答メッセージ１３５２を伝送路２を介して受信したことに応じて、設定終了要求応答メッセージ１３５２が要求許諾を示す場合は要求した設定種別の設定データ画面を設定操作ができないように表示変更する。設定終了要求応答メッセージ１３５２が要求不許諾を示す場合は要求した設定種別が設定終了不可である旨の警告を表示する。
【０１３０】
このように、外部端末装置３Ａから保護制御装置１への設定終了操作に応じて、設定終了要求手段３５０、設定終了手段３５１、設定中判定手段３２０、設定終了要求応答手段３５２が連携することにより、ユーザが外部端末装置３Ａにおいて保護制御装置１の設定データへの設定を終了することができる。
【０１３１】
図１３は、外部端末装置に設定データを表示する処理を説明するための図である。図６等の場合と同様に図１３では、保護制御装置１に接続することができる複数の外部端末装置３Ａ、３Ｂ、３Ｃがある中で、外部端末装置３Ａから伝送路２を介して保護制御装置１へ接続中であるケースを想定する。
【０１３２】
図３のＣＰＵ１０６は、図１３において設定データ取得手段３０１Ａ、設定中判定手段３２０および表示中画面登録手段４００として動作する。また、図３のメモリ１０８には、図１３の設定中管理テーブル４０、設定データ格納テーブル６０および表示中画面管理テーブル７０が記憶される。
【０１３３】
図４のＣＰＵ１１８は、図１３において設定データ取得要求手段３００Ａとして動作する。図４のＣＰＵ１１８および表示部１１２は、設定データ表示手段３０２として動作する。また、図４の記憶部１１６には、図１３の接続情報１４Ａ（接続ＩＤ、ソケットＩＤ、ＩＰアドレス、ユーザＩＤ、アクセス権限、ＭＡＣアドレス）が記憶されている。
【０１３４】
外部端末装置３Ａの設定データ取得要求手段３００Ａは、設定データ画面への遷移時または周期更新させる設定データ画面表示中は、外部端末装置３Ａの接続情報１４Ａと設定種別１６と遷移先画面種別１８を盛り込んだ設定データの取得を要求する設定データ取得要求メッセージ１３００Ａを伝送路２を介して送信する。
【０１３５】
保護制御装置１の設定データ取得手段３０１Ａは、外部端末装置３Ａからの設定データ取得要求メッセージ１３００Ａを伝送路２を介して受信したことに応じて、要求された設定種別１６に対する設定中判定を設定中判定手段３２０に行なわせる。
【０１３６】
保護制御装置１の設定中判定手段３２０は、設定データ取得手段３０１Ａから入手した設定種別に関して、設定中管理テーブル４０と照らして同一または他の外部端末装置により設定中か否かをソケットＩＤをキーとして判定し、設定データ取得手段３０１Ａに対して判定結果（「同一設定中」、「他設定中」、等）を応答する。
【０１３７】
設定データ取得手段３０１Ａは、設定中判定手段３２０からの判定結果が「他設定中」であるかないかに関わらず、要求された設定データを設定データ格納テーブル６０から取得し、要求元の外部端末装置３Ａへ設定データを載せた設定データ取得要求応答メッセージ１３０２を伝送路２を介して返送する。また、設定データ取得手段３０１Ａは、複数の外部端末装置に表示中の画面の管理を表示中画面登録手段４００に行なわせる。
【０１３８】
設定中判定手段３２０からの判定結果が「他設定中」の場合は、要求元の外部端末装置３Ａへ設定データ取得要求を不許諾とする旨の設定データ取得要求応答メッセージ１３０２を伝送路２を介して返送するように構成することもできる。しかし、他の外部端末装置が設定中の設定データを知りたい場合もあり、「他設定中」でも表示可能としたほうが便利である。
【０１３９】
そこで、保護制御装置１の表示中画面登録手段４００は、設定データ取得手段３０１Ａから入手したソケットＩＤおよび遷移先画面種別を１組の表示中画面情報７１として、表示中画面管理テーブル７０に登録する。ここで、表示中画面管理テーブル７０上では、同一ソケットＩＤの表示中画面情報７１は唯一となるように上書き更新される。
【０１４０】
したがって、同時に２つの外部端末装置に設定データを表示することは可能であるが、同時に２つの外部端末装置からの設定が競合しないようにソケットＩＤによって管理される。
【０１４１】
外部端末装置３Ａの設定データ表示手段３０２は、保護制御装置１からの設定データ取得要求応答メッセージ１３０２を伝送路２を介して受信したことに応じて、設定データ取得要求応答メッセージ１３０２に含まれる設定データを設定データ画面（たとえば図１１）に表示する。
【０１４２】
このように、外部端末装置３Ａにおける設定データ画面への遷移時、または周期更新させる設定データ画面を表示中は、設定データ取得要求手段３００Ａ、設定データ取得手段３０１Ａ、設定中判定手段３２０、設定データ表示手段３０２、表示中画面登録手段４００が連携することにより、外部端末装置３Ａにおいて保護制御装置１の設定データを表示することができる。
【０１４３】
図１４は、外部端末装置に設定非対象のデータを表示する処理を説明するための図である。以下、設定非対象のデータ（たとえば、測定した電流値、電圧値や、観測した遮断器の開閉状態など）を「非設定データ」と称し、整定値などを含む「設定データ」と区別する。また、「非設定データ」を表示する画面を「非設定データ画面」と称することにする。図６等の場合と同様に図１４では、保護制御装置１に接続することができる複数の外部端末装置３Ａ、３Ｂ、３Ｃがある中で、外部端末装置３Ａから伝送路２を介して保護制御装置１へ接続中であるケースを想定する。
【０１４４】
図３のＣＰＵ１０６は、図１４において非設定データ取得手段２０１Ａおよび表示中画面登録手段４００として動作する。また、図３のメモリ１０８には、図１３の非設定データ格納テーブル５０および表示中画面管理テーブル７０が記憶される。
【０１４５】
図４のＣＰＵ１１８は、図１４において非設定データ取得要求手段２００Ａとして動作する。図４のＣＰＵ１１８および表示部１１２は、図１４の非設定データ表示手段２０２として動作する。また、図４の記憶部１１６には、図１４の接続情報１４Ａ（接続ＩＤ、ソケットＩＤ、ＩＰアドレス、ユーザＩＤ、アクセス権限、ＭＡＣアドレス）が記憶されている。
【０１４６】
外部端末装置３Ａの非設定データ取得要求手段２００Ａは、非設定データ画面への遷移時または周期更新させる非設定データ画面表示中は、外部端末装置３Ａの接続情報１４Ａ（接続ＩＤ、ソケットＩＤ、ＩＰアドレス、ユーザＩＤ、アクセス権限、ＭＡＣアドレス）と遷移先画面種別１８を盛り込んだ非設定データ取得を要求する非設定データ取得要求メッセージ１２００Ａを伝送路を介して送信する。
【０１４７】
保護制御装置１の非設定データ取得手段２０１Ａは、外部端末装置３Ａからの非設定データ取得要求メッセージ１２００Ａを伝送路２を介して受信したことに応じて、要求された非設定データを非設定データ格納テーブル５０から取得し、要求元の外部端末装置３Ａへ非設定データを載せた非設定データ取得要求応答メッセージ１２０２を伝送路２を介して返送する。また、非設定データ取得手段２０１Ａは、複数の外部端末装置で表示中の画面の管理を表示中画面登録手段４００に実行させる。
【０１４８】
保護制御装置１の表示中画面登録手段４００は、非設定データ取得手段２０１Ａから入手したソケットＩＤおよび遷移先画面種別を１組の表示中画面情報７１として、表示中画面管理テーブル７０に登録する。ここで、表示中画面管理テーブル７０上では、同一ソケットＩＤの表示中画面情報７１は唯一となるように上書き更新される。
【０１４９】
外部端末装置３Ａの非設定データ表示手段２０２は、保護制御装置１からの非設定データ取得要求応答メッセージ１２０２を伝送路２を介して受信したことに応じて、非設定データ取得要求応答メッセージ１２０２に含まれる非設定データを非設定データ画面に表示する。
【０１５０】
このように、外部端末装置３Ａにおける非設定データ画面への遷移時、または周期更新させる非設定データ画面を表示中は、非設定データ取得要求手段２００Ａ、非設定データ取得手段２０１Ａ、非設定データ表示手段２０２、表示中画面登録手段４００が連携することにより、外部端末装置３Ａにおいて保護制御装置１の非設定データを表示することができる。
【０１５１】
［実施の形態１］
実施の形態１では、同時に接続している他の外部端末装置がどういう状態なのかを把握可能なように、保護制御装置１に接続している他の外部端末装置の接続状況を表示する。
【０１５２】
図１５は、保護制御システムにおいて、外部端末装置３Ａ、３Ｂの接続状況の一例を示す図である。
【０１５３】
図２、図１５を参照して、外部端末装置３Ａについては、接続開始日時が2011/04/12の09:03:56であり、ＩＰアドレスが10.160.119.63であり、ユーザＩＤがXEFH1234であり、アクセス権限がmonitorであり、設定種別は非実行であり、表示中画面が接続状況を表示する画面であることが示される。
【０１５４】
また、外部端末装置３Ｂについては、接続開始日時が2011/04/12の09:11:14であり、ＩＰアドレスが10.160.119.72であり、ユーザＩＤがRKAQ2345であり、アクセス権限がoperatorであり、設定種別は「整定中」であり、表示中画面が整定を実行する画面であることが示される。
【０１５５】
なお、アクセス権限がmonitorである場合には、設定データを設定することはできない。アクセス権限がoperatorである場合には、設定データを設定することができる。
【０１５６】
図１６は、実施の形態１で外部端末装置の画面に表示される画面の一例を示す図である。図１６では、図１５に示した状況にある場合に、保護制御装置１に接続している外部端末装置３Ａおよび３Ｂの接続開始日時、ＩＰアドレス、ユーザＩＤ、アクセス権限、設定種別、表示中画面を外部端末装置３Ａ上で表示させた画面Ｇ２を示す。
【０１５７】
図１７は、実施の形態１で実行される他外部端末装置接続状況表示に関する制御を説明するためのフローチャートである。
【０１５８】
図１８は、外部端末装置から保護制御装置に他外部端末装置接続状況を示す情報を要求する処理を説明するための図である。
【０１５９】
図３のＣＰＵ１０６は、図１８において接続状況取得手段１６１および接続状況収集手段１５０として動作する。また、図３のメモリ１０８には、図１８の接続状況テーブル８０、接続中管理テーブル３０Ａ、設定中管理テーブル４０および表示中画面管理テーブル７０が記憶される。
【０１６０】
図４のＣＰＵ１１８は、図１８の接続状況取得要求手段１６０として動作する。図４のＣＰＵ１１８および表示部１１２は、図１８の接続状況表示手段１６２として動作する。
【０１６１】
図１７、図１８を参照して、まず、外部端末装置３Ａにおいて、図１６に示したような外部端末装置接続状況画面へ遷移を要求されたか否かが判断される（ステップＳ１０１）。画面遷移の要求がある場合には、接続状況取得要求手段１６０は接続状況取得要求メッセージ１１６０を伝送路２を介して保護制御装置１の接続状況取得手段１６１に渡す（ステップＳ１０２）。
【０１６２】
保護制御装置１では、接続状況取得要求メッセージ１１６０を受信したか否かが判断されている（ステップＳ１）。接続状況取得要求メッセージ１１６０を受信した場合には、接続状況取得手段１６１は、接続状況テーブル８０から外部端末装置３Ａ、３Ｂの接続状況情報８１を取得し（ステップＳ２）、取得した情報を接続状況取得要求応答メッセージ１１６２に乗せて接続状況表示手段１６２に送信する（ステップＳ３）。
【０１６３】
外部端末装置３Ａでは、応答メッセージの返信待ち状態であり（ステップＳ１０３）、応答メッセージの返信があった場合には、外部端末装置３Ａの接続状況表示手段１６２は、取得した外部端末装置３Ａ、３Ｂの接続状況情報を接続開始日時の古い順に上から外部端末装置接続状況画面に表示する（ステップＳ１０４）。
【０１６４】
外部端末装置３Ａにおいて、図１６のような外部端末装置接続状況画面を表示している間は、周期的に接続状況取得要求手段１６０が接続状況取得要求メッセージ１１６０を送信することにより、結果として外部端末装置接続状況画面を周期的に表示更新する。
【０１６５】
ここで、図１６のような外部端末装置接続状況画面は、選択することにより遷移して表示する機能画面の１つとも、常時表示する画面とも考えることができる。
【０１６６】
なお、上述の接続状況情報の生成には、図１８の諸々の手段に加えて、図６〜図１０、図１２〜図１４の諸々の手段が関わっている。
【０１６７】
図１８を参照して、さらに、接続中の保護制御装置に接続している全外部端末装置の接続状況を表示することに関わる制御について説明する。図６等の場合と同様に図１８では、保護制御装置１に接続することができる複数の外部端末装置３Ａ、３Ｂ、３Ｃがある中で、外部端末装置３Ａから伝送路２を介して保護制御装置１へ接続中であるケースを想定する。
【０１６８】
保護制御装置１では、接続状況収集手段１５０が、周期的に、接続中の外部端末装置３Ａの接続状況を示す諸情報を幾つかのデータテーブルからソケットＩＤをキーとして収集し、外部端末装置単位の接続状況情報８１として接続状況テーブル８０に格納する。接続中管理テーブル３０Ａから収集する情報は、接続ＩＤ、ＩＰアドレス、ＭＡＣアドレス、ユーザＩＤ、アクセス権限、接続開始日時である。設定中管理テーブル４０から収集する情報は、設定中の設定種別である。表示中画面管理テーブル７０から収集する情報は、表示中画面の画面種別である。
【０１６９】
外部端末装置３Ａの接続状況取得要求手段１６０は、保護制御装置１と接続中の全外部端末装置３Ａ、３Ｂ、３Ｃの接続状況情報を要求する接続状況取得要求メッセージ１１６０を伝送路２を介して保護制御装置１へ送信する。
【０１７０】
保護制御装置１の接続状況取得手段１６１は、外部端末装置３Ａからの接続状況取得要求メッセージ１１６０を伝送路２を介して受信したことに応じて、接続状況テーブル８０からすべての接続状況情報８１を取得し、要求元である外部端末装置３Ａへ接続状況取得要求応答メッセージ１１６２を伝送路２を介して返送する。
【０１７１】
外部端末装置３Ａの接続状況表示手段１６２は、保護制御装置１からの接続状況取得要求応答メッセージ１１６２を伝送路２を介して受信したことに応じて、保護制御装置１と接続中の全外部端末装置３Ａ、３Ｂ、３Ｃの接続状況を外部端末装置３Ａの接続状況画面に表示する。
【０１７２】
実施の形態１では、図１８に示す構成を保護制御装置１に設けたことによって、接続している全外部端末装置の接続状況を表示することが実現できる。
【０１７３】
このようにして、接続中の保護制御装置に接続している全外部端末装置の接続状況を表示することによって、同時に接続している他の外部端末装置がどういう状態なのかを把握することができる。さらに、複数の操作者がイーサネット（登録商標）等の伝送路を介した複数の外部端末装置により保護制御装置に対して同時に接続している場合でも、複数の外部端末装置間が容易に連携でき、単独での操作にも支障をきたさない運用保守性の高い保護制御システムを得ることができる。
【０１７４】
［実施の形態２］
実施の形態２では、同時に接続している他の外部端末装置がどういう状態なのかを把握しつつ、自己の外部端末装置がどのような操作が可能なのかを表示する。
【０１７５】
図１９は、保護制御システムにおいて、外部端末装置３Ａ、３Ｂの接続状況の他の一例を示す図である。
【０１７６】
図２、図１９を参照して、外部端末装置３Ａについては、接続開始日時が2011/04/12の09:03:56であり、ＩＰアドレスが10.160.119.63であり、ユーザＩＤがXEFH1234であり、アクセス権限がmonitorであり、設定種別は非実行であり、表示中画面が操作可否状況を表示する画面であることが示される。
【０１７７】
また、外部端末装置３Ｂについては、接続開始日時が2011/04/12の09:11:14であり、ＩＰアドレスが10.160.119.72であり、ユーザＩＤがRKAQ2345であり、アクセス権限がoperatorであり、設定種別は整定中であり、表示中画面が整定を実行する画面であることが示される。
【０１７８】
なお、アクセス権限がmonitorである場合には、設定データを設定することはできない。アクセス権限がoperatorである場合には、設定データを設定することができる。
【０１７９】
図２０は、実施の形態２で外部端末装置の画面に表示される画面の一例を示す図である。図２０では、図１９に示した状況にある場合に、外部端末装置３Ａ上で、保護制御装置１に接続している外部端末装置３Ａの設定種別ごとの操作可否と、操作不可の場合の設定中の他外部端末装置の接続情報を表示する画面Ｇ３を示す。
【０１８０】
ここで、保護制御装置１の設定種別は、「整定中」、「強制制御設定中」、「試験設定設定中」の３種類とし、外部端末装置３Ａ、３Ｂの接続状況情報は図１９に示したとおりとする。
【０１８１】
設定種別が「整定中」については、外部端末装置３Ｂが実行中であり、外部端末装置３Ａからは設定不可であるが、他の設定種別「強制制御設定中」および「試験設定設定中」については実行されていないので設定可と表示されている。なお、図２０に示すように、アクセス権限がmonitorでも「強制制御」設定、「試験設定」設定は可能である。
【０１８２】
図２１は、実施の形態２で実行される操作可否状況表示に関する制御を説明するためのフローチャートである。
【０１８３】
図２２は、外部端末装置から保護制御装置に操作可否状況表示を示す情報を要求する処理を説明するための図である。
【０１８４】
図３のＣＰＵ１０６は、図２２の接続状況取得手段１６１および接続状況収集手段１５０として動作する。また、図３のメモリ１０８には、図２２の接続状況テーブル８０、接続中管理テーブル３０Ａ、設定中管理テーブル４０および表示中画面管理テーブル７０が記憶される。
【０１８５】
図４のＣＰＵ１１８は、図２２の接続状況取得要求手段１６０として動作する。図４のＣＰＵ１１８および表示部１１２は、図２２の操作可否状況表示手段１６３として動作する。
【０１８６】
図１７、図１８を参照して、まず、外部端末装置３Ａにおいて、図２０のような外部端末装置操作可否状況画面へ遷移を要求されたか否かが判断される（ステップＳ１１１）。画面遷移の要求がある場合には、接続状況取得要求手段１６０は接続状況取得要求メッセージ１１６０を伝送路２を介して保護制御装置１の接続状況取得手段１６１に渡す（ステップＳ１１２）。
【０１８７】
保護制御装置１では、接続状況取得要求メッセージ１１６０を受信したか否かが判断されている（ステップＳ１１）。接続状況取得要求メッセージ１１６０を受信した場合には、接続状況取得手段１６１は、接続状況テーブル８０から外部端末装置３Ａ、３Ｂの接続状況情報８１を取得し（ステップＳ１２）、接続状況取得要求応答メッセージ１１６２に乗せて操作可否状況表示手段１６３に渡す（ステップＳ１３）。
【０１８８】
外部端末装置３Ａでは、応答メッセージの返信待ち状態であり（ステップＳ１１３）、応答メッセージの返信があった場合には、外部端末装置３Ａの操作可否状況表示手段１６３は、取得した外部端末装置３Ａ、３Ｂの接続状況情報の設定種別に着目し、外部端末装置３Ｂの設定種別が「整定中」であることから、図２０のような外部端末装置操作可否状況画面Ｇ３の設定種別「整定中」に関しては、操作可否欄に「設定不可」を表示し、接続開始日時欄、ＩＰアドレス欄、ユーザＩＤ欄、アクセス権限欄には外部端末装置３Ｂの接続状況情報を表示する。
【０１８９】
また、図２０のような外部端末装置操作可否状況画面Ｇ３の設定種別「強制制御設定中」および「試験設定設定中」に関しては、操作可否欄に「設定可」、接続開始日時欄、ＩＰアドレス欄、ユーザＩＤ欄、アクセス権限欄にはたとえばハイフンのような無効である旨を表示する（ステップＳ１１４）。
【０１９０】
外部端末装置３Ａにおいて、図２０のような外部端末装置操作可否状況画面Ｇ３を表示している間は、周期的に接続状況取得要求手段１６０が接続状況取得要求メッセージ１１６０を送信することにより、結果として外部端末装置操作可否状況画面Ｇ３を周期的に表示更新する。
【０１９１】
ここで、図２０のような外部端末装置操作可否状況画面は、選択することにより遷移して表示する機能画面の１つとも、常時表示する画面とも考えることができる。
【０１９２】
なお、上述の接続状況情報の生成には、図２２の諸々の手段に加えて、図６〜図１０、図１２〜図１４の諸々の手段が関わっている。
【０１９３】
図２２を参照して、さらに、接続中の保護制御装置に対する自らの外部端末装置の操作可否状況を表示することに関わる制御について説明する。図６等の場合と同様に図２２では、保護制御装置１に接続することができる複数の外部端末装置３Ａ、３Ｂ、３Ｃがある中で、外部端末装置３Ａから伝送路２を介して保護制御装置１へ接続中であるケースを想定する。
【０１９４】
保護制御装置１では、接続状況収集手段１５０が、周期的に、接続中の外部端末装置３Ａの接続状況を示す諸情報を幾つかのデータテーブルからソケットＩＤをキーとして収集し、外部端末装置単位の接続状況情報８１として接続状況テーブル８０に格納する。接続中管理テーブル３０Ａから収集する情報は、接続ＩＤ、ＩＰアドレス、ＭＡＣアドレス、ユーザＩＤ、アクセス権限、接続開始日時を含む。設定中管理テーブル４０から収集する情報は、設定中の設定種別である。表示中画面管理テーブル７０から収集する情報は、表示中画面の画面種別である。
【０１９５】
外部端末装置３Ａの接続状況取得要求手段１６０は、保護制御装置１と接続中の全外部端末装置３Ａ、３Ｂ、３Ｃの接続状況情報を要求する接続状況取得要求メッセージ１１６０を伝送路２を介して保護制御装置１へ送信する。
【０１９６】
保護制御装置１の接続状況取得手段１６１は、外部端末装置３Ａからの接続状況取得要求メッセージ１１６０を伝送路２を介して受信したことに応じて、接続状況テーブル８０からすべての接続状況情報８１を取得し、要求元である外部端末装置３Ａへ接続状況取得要求応答メッセージ１１６２を伝送路２を介して返送する。
【０１９７】
外部端末装置３Ａの操作可否状況表示手段１６３は、保護制御装置１からの接続状況取得要求応答メッセージ１１６２を伝送路２を介して受信したことに応じて、外部端末装置３Ａの設定種別ごとの操作可否状況を外部端末装置操作可否状況画面に表示する。外部端末装置操作可否状況画面では、保護制御装置１に接続中の全外部端末装置３Ａ、３Ｂ、３Ｃの接続状況情報のうち設定中の設定種別に着目して、外部端末装置３Ａで設定中の設定種別は「設定中」と対応する操作可否欄に表示される。また、外部端末装置３Ａ以外で設定中の設定種別は「設定不可」と対応する操作可否欄に表示される。何れの外部端末装置でも設定中でない設定種別は「設定可」と対応する操作可否欄に表示される。
【０１９８】
実施の形態２では、図２２に示す構成を保護制御装置１に設けたことによって、接続中の保護制御装置に対する自らの外部端末装置の操作可否状況を表示することが実現できる。
【０１９９】
このようにして、接続中の保護制御装置に対する自らの外部端末装置の操作可否状況を表示することによって、その時々で外部端末装置でどの操作が可能なのか不可なのかを予め把握することができる。さらに、複数の操作者がイーサネット（登録商標）等の伝送路を介した複数の外部端末装置により保護制御装置に対して同時に接続している場合でも、複数の外部端末装置間が容易に連携でき、単独での操作にも支障をきたさない運用保守性の高い保護制御システムを得ることができる。
【０２００】
［実施の形態３］
実施の形態３では、同時に接続している他の外部端末装置がどういう状態なのかを把握しつつ、自己の外部端末装置がどのような操作が可能なのかを表示する他の例を示す。
【０２０１】
図２３は、各メニューが表示可能な画面を一覧して示した図である。図２３に示すように、各メニューには選択可能ないくつかの画面が用意されている。各画面については、図２と同様であるので、ここでは説明は繰り返さない。しかし、いくつかの画面が用意されていても、すべての画面が使用可能であるとは限らない。
【０２０２】
たとえば、ある設定データについて、他の外部端末装置によって設定中である場合には、その設定データについては設定を行なうことはできないので、その設定データに関する設定画面を選択することはできない。
【０２０３】
図２４は、保護制御システムにおいて、外部端末装置３Ａ、３Ｂの接続状況のさらに他の一例を示す図である。
【０２０４】
図２、図２４を参照して、外部端末装置３Ａについては、接続開始日時が2011/04/12の09:03:56であり、ＩＰアドレスが10.160.119.63であり、ユーザＩＤがXEFH1234であり、アクセス権限がmonitorであり、設定種別は非実行であり、表示中画面が使用可能画面一覧を表示する画面であることが示される。
【０２０５】
また、外部端末装置３Ｂについては、接続開始日時が2011/04/12の09:11:14であり、ＩＰアドレスが10.160.119.72であり、ユーザＩＤがRKAQ2345であり、アクセス権限がoperatorであり、設定種別は整定中であり、表示中画面が整定を実行する画面であることが示される。
【０２０６】
図２５は、実施の形態３で外部端末装置の画面に表示される画面の第１例を示す図である。図２５に示す画面Ｇ４は、図５の画面一覧において、使用不可能画面の名前の文字色が他とは異なる色で表示されている。図２５では、整定メニュー中の「メイン整定」画面と、「フェイルセール整定」画面が薄い色の文字で表示される。したがって、ユーザが「メイン整定」画面と、「フェイルセール整定」画面が使用できないことを直ちに知ることができる。
【０２０７】
なお、「メイン整定」画面と、「フェイルセール整定」画面の文字にマウスポインタなどを合わせて選択しようとしても選択できないように構成してもよい。
【０２０８】
図２６は、実施の形態３で外部端末装置の画面に表示される画面の第２例を示す図である。
図２６に示す画面Ｇ５は、図５の画面一覧において、使用不可能画面の名前を表示しないようにしたものである。すなわち、図２６では、整定メニュー中の「メイン整定」画面と、「フェイルセール整定」画面の選択用の文字が表示されていない。したがって、ユーザが「メイン整定」画面と、「フェイルセール整定」画面が使用できないことを直ちに知ることができる。
【０２０９】
図２７は、実施の形態３で実行される使用可能画面の一覧表示に関する制御を説明するためのフローチャートである。
【０２１０】
図２８は、外部端末装置から保護制御装置に使用可能画面の一覧を示す情報を要求する処理を説明するための図である。
【０２１１】
図３のＣＰＵ１０６は、図２８の接続状況取得手段１６１および接続状況収集手段１５０として動作する。また、図３のメモリ１０８には、図２２の接続状況テーブル８０、接続中管理テーブル３０Ａ、設定中管理テーブル４０および表示中画面管理テーブル７０が記憶される。
【０２１２】
図４のＣＰＵ１１８は、図２８の接続状況取得要求手段１６０として動作する。図４のＣＰＵ１１８および表示部１１２は、図２８の使用可能画面一覧表示手段１６４として動作する。
【０２１３】
図２７、図２８を参照して、まず、外部端末装置３Ａにおいて、図２５や図２６のような使用可能画面一覧画面へ遷移を要求されたか否かが判断される（ステップＳ１２１）。画面遷移の要求がある場合には、接続状況取得要求手段１６０は接続状況取得要求メッセージ１１６０を伝送路２を介して保護制御装置１の接続状況取得手段１６１に渡す（ステップＳ１２２）。
【０２１４】
保護制御装置１では、接続状況取得要求メッセージ１１６０を受信したか否かが判断されている（ステップＳ２１）。接続状況取得要求メッセージ１１６０を受信した場合には、接続状況取得手段１６１は、接続状況テーブル８０から外部端末装置３Ａ、３Ｂの接続状況情報８１を取得し（ステップＳ２２）、接続状況取得要求応答メッセージ１１６２に乗せて使用可能画面一覧表示手段１６４に渡す（ステップＳ２３）。
【０２１５】
外部端末装置３Ａでは、応答メッセージの返信待ち状態であり（ステップＳ１２３）、応答メッセージの返信があった場合には、外部端末装置３Ａの使用可能画面一覧表示手段１６４は、取得した外部端末装置３Ａ、３Ｂの接続状況情報の設定種別に着目し表示を変更する（ステップＳ１２４）。
【０２１６】
外部端末装置３Ｂの設定種別が「整定中」であることから、外部端末装置３Ａでは、保護制御装置１の画面構成１５において設定種別「整定中」関連である整定メニューの各画面の名称を、図２５や図２６のような使用可能画面一覧画面では文字色を薄い色に変更するもしくは非表示にする。
【０２１７】
外部端末装置３Ａにおいて、図２５や図２６のような使用可能画面一覧画面を表示している間は、周期的に図２７のフローチャートの処理が実行され接続状況取得要求手段１６０が接続状況取得要求メッセージ１１６０を送信することにより、結果として使用可能画面一覧画面を周期的に表示更新する。
【０２１８】
ここで、図２５や図２６のような使用可能画面一覧画面は、選択することにより遷移して表示する機能画面の１つとも、常時表示する画面とも考えることができる。
なお、上述の接続状況情報の生成には、図２８の諸々の手段に加えて、図６〜図１０、図１２〜図１４の諸々の手段が関わっている。
【０２１９】
図２８を参照して、さらに、接続中の保護制御装置に対する自らの外部端末装置の使用可能画面一覧を表示することに関わる保護制御システムの構成について説明する。
【０２２０】
図６等の場合と同様に図２８では、保護制御装置１に接続することができる複数の外部端末装置３Ａ、３Ｂ、３Ｃがある中で、外部端末装置３Ａから伝送路２を介して保護制御装置１へ接続中であるケースを想定する。
【０２２１】
保護制御装置１の接続状況収集手段１５０は、周期的に、接続中の外部端末装置３Ａの接続状況を示す諸情報を幾つかのデータテーブルからソケットＩＤをキーとして収集し、外部端末装置単位の接続状況情報８１として接続状況テーブル８０に格納する。接続中管理テーブル３０Ａから収集する情報は、接続ＩＤ、ＩＰアドレス、ＭＡＣアドレス、ユーザＩＤ、アクセス権限、接続開始日時を含む。設定中管理テーブル４０から収集する情報は、設定中の設定種別である。表示中画面管理テーブル７０から収集する情報は、表示中画面の画面種別である。
【０２２２】
外部端末装置３Ａの接続状況取得要求手段１６０は、保護制御装置１と接続中の全外部端末装置３Ａ、３Ｂ、３Ｃの接続状況情報を要求する接続状況取得要求メッセージ１１６０を伝送路２を介して保護制御装置１へ送信する。
【０２２３】
保護制御装置１の接続状況取得手段１６１は、外部端末装置３Ａからの接続状況取得要求メッセージ１１６０を伝送路２を介して受信したことに応じて、接続状況テーブル８０からすべての接続状況情報８１を取得し、要求元の外部端末装置３Ａへ接続状況取得要求応答メッセージ１１６２を伝送路２を介して返送する。
【０２２４】
外部端末装置３Ａの使用可能画面一覧表示手段１６４は、保護制御装置１からの接続状況取得要求応答メッセージ１１６２を伝送路２を介して受信したことに応じて、外部端末装置３Ａで使用できる画面の名称を使用可能画面一覧画面に表示する。使用可能画面一覧画面では、保護制御装置１に接続中の全外部端末装置３Ａ、３Ｂ、３Ｃの接続状況情報のうち設定中の設定種別に着目して、外部端末装置３Ａ以外で設定中の設定種別があった場合、保護制御装置１固有の画面構成１５において設定中の設定種別に関連する画面の名称を文字色を薄い色に変更するもしくは非表示にする。
【０２２５】
このようにして、接続中の保護制御装置に対する自らの外部端末装置の使用可能画面一覧を表示することによって、その時々で外部端末装置でどの画面が使用可能なのか不可なのかを予め把握することができ、ひいては、複数の操作者がイーサネット（登録商標）等の伝送路を介した複数の外部端末装置により保護制御装置に対して同時に接続している場合でも、複数の外部端末装置間が容易に連携でき、単独での操作にも支障をきたさない運用保守性の高い保護制御システムを得ることができる。
【０２２６】
［実施の形態４］
実施の形態４では、同時に接続している他の外部端末装置がどういう状態なのかを把握しつつ、自己の外部端末装置がどのような操作が可能なのかをメニューツリー画面に表示する例を説明する。
【０２２７】
実施の形態４の画面構成は、実施の形態３において図２３で説明した画面構成と同じであるので、ここでは説明は繰り返さない。
【０２２８】
図２９は、保護制御システムにおいて、外部端末装置３Ａ、３Ｂの接続状況のさらに他の一例を示す図である。
【０２２９】
図２、図２９を参照して、外部端末装置３Ａについては、接続開始日時が2011/04/12の09:03:56であり、ＩＰアドレスが10.160.119.63であり、ユーザＩＤがXEFH1234であり、アクセス権限がmonitorであり、設定種別は非実行であり、表示中画面がリレー動作を表示する画面であることが示される。
【０２３０】
また、外部端末装置３Ｂについては、接続開始日時が2011/04/12の09:11:14であり、ＩＰアドレスが10.160.119.72であり、ユーザＩＤがRKAQ2345であり、アクセス権限がoperatorであり、設定種別は整定中であり、表示中画面が整定を実行する画面であることが示される。
【０２３１】
図３０は、実施の形態４で外部端末装置の画面に表示される画面の第１例を示す図である。図３０では、外部端末装置３Ａの表示画面上で、保護制御装置１の画面構成１５において外部端末装置３Ａが使用不可の画面の名称（整定メニューの下の、「メイン整定」、「フェイルセーフ整定」の２つの画面）を文字色を他の使用可の画面の名称と異なる色（たとえばグレー）にしたメニューツリー画面Ｇ６が例として示されている。
【０２３２】
図３１は、実施の形態４で外部端末装置の画面に表示される画面の第２例を示す図である。図３１では、外部端末装置３Ａの表示画面上で、保護制御装置１の画面構成１５において外部端末装置３Ａが使用不可の画面の名称（整定メニューの下の、「メイン整定」、「フェイルセーフ整定」の２つの画面）を非表示にしたメニューツリー画面Ｇ７が例として示されている。
【０２３３】
図３２は、実施の形態４で実行されるメニューツリー表示に関する制御を説明するためのフローチャートである。
【０２３４】
図３３は、外部端末装置から保護制御装置にメニューツリーの使用可能画面を示す情報を要求する処理を説明するための図である。
【０２３５】
図３のＣＰＵ１０６は、図３３の接続状況取得手段１６１および接続状況収集手段１５０として動作する。また、図３のメモリ１０８には、図３３の接続状況テーブル８０、接続中管理テーブル３０Ａ、設定中管理テーブル４０および表示中画面管理テーブル７０が記憶される。
【０２３６】
図４のＣＰＵ１１８は、図３３の接続状況取得要求手段１６０およびメニューツリー使用可否反映手段１６５として動作する。図４のＣＰＵ１１８および表示部１１２は、図３３のメニューツリー画面表示手段１１０として動作する。
【０２３７】
図２７、図２８を参照して、まず、外部端末装置３Ａにおいて、図３０や図３１のようなメニューツリー画面の表示を要求されたか否かが判断される（ステップＳ１３１）。画面表示の要求がある場合には、接続状況取得要求手段１６０は接続状況取得要求メッセージ１１６０を伝送路２を介して保護制御装置１の接続状況取得手段１６１に渡す（ステップＳ１３２）。
【０２３８】
保護制御装置１では、接続状況取得要求メッセージ１１６０を受信したか否かが判断されている（ステップＳ３１）。接続状況取得要求メッセージ１１６０を受信した場合には、接続状況取得手段１６１は、接続状況テーブル８０から外部端末装置３Ａ、３Ｂの接続状況情報８１を取得し（ステップＳ３２）、接続状況取得要求応答メッセージ１１６２に乗せてメニューツリー使用可否反映手段１６５に渡す（ステップＳ３３）。
【０２３９】
外部端末装置３Ａでは、応答メッセージの返信待ち状態であり（ステップＳ１３３）、応答メッセージの返信があった場合には、メニューツリー使用可否反映手段１６５は、保護制御装置１の画面構成１５に基づいてメニューツリー画面表示手段１１０が表示したメニューツリー画面に対して、取得した外部端末装置３Ａ、３Ｂの接続状況情報の設定種別に着目しメニューツリー画面の表示または表示の更新を行なう。
【０２４０】
外部端末装置３Ｂの設定種別が「整定中」であることから、外部端末装置３Ａでは、保護制御装置１の画面構成１５において設定種別「整定中」関連である整定メニューの各画面の名称を図３０や図３１のように文字色を薄い色に変更するもしくは非表示にする。
【０２４１】
外部端末装置３Ａにおいて、図３０や図３１のようなメニューツリー画面を表示している間は、周期的に図３２のフローチャートの処理が実行され接続状況取得要求手段１６０が接続状況取得要求メッセージ１１６０を送信することにより、結果として、メニューツリー画面の使用可否を周期的に表示更新する。
【０２４２】
ここで、図３０や図３１のようなメニューツリー画面は、常時表示する画面である。
なお、上述の接続状況情報の生成には、図３３の諸々の手段に加えて、図６〜図１０、図１２〜図１４の諸々の手段が関わっている。
【０２４３】
図３３を参照して、さらに詳細に、接続中の保護制御装置に対する自らの外部端末装置の使用可能画面情報をメニューツリーに反映することに関わる保護制御システムの構成について説明する。
【０２４４】
図６等の場合と同様に図３３では、保護制御装置１に接続することができる複数の外部端末装置３Ａ、３Ｂ、３Ｃがある中で、外部端末装置３Ａから伝送路２を介して保護制御装置１へ接続中であるケースを想定する。
【０２４５】
保護制御装置１の接続状況収集手段１５０は、周期的に、接続中の外部端末装置３Ａの接続状況を示す諸情報を幾つかのデータテーブルからソケットＩＤをキーとして収集し、外部端末装置単位の接続状況情報８１として接続状況テーブル８０に格納する。接続中管理テーブル３０Ａから収集する情報は、接続ＩＤ、ＩＰアドレス、ＭＡＣアドレス、ユーザＩＤ、アクセス権限、接続開始日時を含む。設定中管理テーブル４０から収集する情報は、設定中の設定種別である。表示中画面管理テーブル７０から収集する情報は、表示中画面の画面種別である。
【０２４６】
外部端末装置３Ａの接続状況取得要求手段１６０は、保護制御装置１と接続中の全外部端末装置３Ａ、３Ｂ、３Ｃの接続状況情報を要求する接続状況取得要求メッセージ１１６０を伝送路２を介して保護制御装置１へ送信する。
【０２４７】
保護制御装置１の接続状況取得手段１６１は、各外部端末装置３Ａからの接続状況取得要求メッセージ１１６０を伝送路２を介して受信したことに応じて、接続状況テーブル８０からすべての接続状況情報８１を取得し、要求元の外部端末装置３Ａへ接続状況取得要求応答メッセージ１１６２を伝送路２を介して返送する。
【０２４８】
外部端末装置３Ａのメニューツリー使用可否反映手段１６５は、保護制御装置１からの接続状況取得要求応答メッセージ１１６２を伝送路２を介して受信したことに応じて、外部端末装置３Ａで使用不可の画面をメニューツリー画面から遷移できないようにする。メニューツリー画面では、保護制御装置１に接続中の全外部端末装置３Ａ、３Ｂ、３Ｃの接続状況情報のうち設定中の設定種別に着目して、外部端末装置３Ａ以外で設定中の設定種別があった場合、メニューツリーに表示される画面の名称のうち設定中の設定種別に関連する画面の名称を文字色を薄い色に変更するか、もしくは非表示にする。
【０２４９】
このようにして、接続中の保護制御装置に対する自らの外部端末装置の使用可能画面情報をメニューツリーに反映することによって、その時々で外部端末装置で使用可能な画面のみしか表示や操作ができないようにすることができる。ひいては、複数の操作者がイーサネット（登録商標）等の伝送路を介した複数の外部端末装置により保護制御装置に対して同時に接続している場合でも、複数の外部端末装置間が容易に連携でき、単独での操作にも支障をきたさない運用保守性の高い保護制御システムを得ることができる。
【０２５０】
［実施の形態５］
実施の形態５では、他の外部端末装置３Ｂと競合するため不可能な操作が選択された場合に、他外部端末装置情報を外部端末装置３Ａのメニューツリー画面に表示する例を説明する。
【０２５１】
より具体的には、「他設定中」により設定開始操作が受け付けられなかった際の警告通知に「他設定中」の外部端末装置の接続情報を追加表示する。外部端末装置３Ａ上に追加表示する情報は、現在設定中の外部端末装置３ＢのＩＰアドレス、ユーザＩＤ、アクセス権限、接続開始日時などである。
【０２５２】
図３４は、保護制御システムにおいて、外部端末装置３Ａ、３Ｂの接続状況のさらに他の一例を示す図である。
【０２５３】
図２、図３４を参照して、外部端末装置３Ａについては、接続開始日時が2011/04/12の09:03:56であり、ＩＰアドレスが10.160.119.63であり、ユーザＩＤがXEFH1234であり、アクセス権限がmonitorであり、設定種別は非実行であり、表示中画面が整定を実行する画面であることが示される。
【０２５４】
また、外部端末装置３Ｂについては、接続開始日時が2011/04/12の09:11:14であり、ＩＰアドレスが10.160.119.72であり、ユーザＩＤがRKAQ2345であり、アクセス権限がoperatorであり、設定種別は整定中であり、表示中画面が整定を実行する画面であることが示される。
【０２５５】
図３４においては、外部端末装置３Ａの表示中画面は、外部端末装置３Ｂの表示中画面と同じであり、画面の使用が競合している場合が示されている。
【０２５６】
図３５は、実施の形態５で外部端末装置の画面に表示される画面例を示す図である。図３５に示される画面Ｇ８では、外部端末装置３Ａの表示画面上で、保護制御装置１の画面構成１５において外部端末装置３Ａが整定メニューの下の、「メイン整定」画面において整定開始操作を行なおうとした場合が示される。画面Ｇ８には、「下記の外部端末装置により設定中のため設定開始することができません。」というメッセージがメイン整定画面の上に新しいウインドウが開いて表示されている。そしてそのウインドウの中には、設定中の外部端末装置のＩＰアドレス、ユーザＩＤ、アクセス権限、接続開始日時などの情報が表示されている。
【０２５７】
図３６は、実施の形態５で実行される設定中の他の外部端末装置の情報表示に関する制御を説明するためのフローチャートである。
【０２５８】
図３７は、整定値設定中の他の外部端末装置を示す情報を外部端末装置に送信する処理を説明するための図である。
【０２５９】
図３のＣＰＵ１０６は、図３７の設定開始手段３１１、設定中判定手段３２０および設定中外部端末装置情報取得手段６００として動作する。また、図３のメモリ１０８には、図３７の接続中管理テーブル３０Ａおよび設定中管理テーブル４０が記憶される。
【０２６０】
図４のＣＰＵ１１８は、図３７の設定開始要求手段３１０および設定開始要求応答手段３１２として動作する。図４のＣＰＵ１１８および表示部１１２は、図３７の設定中外部端末装置情報表示手段６０１として動作する。
【０２６１】
図３６、図３７を参照して、まず外部端末装置３Ａにおいて、保護制御装置１への設定データの設定開始操作がされたか否かが判断される（ステップＳ１４１）。設定開始操作がされた場合には、設定開始要求手段３１０は設定開始要求メッセージ１３１０を伝送路２を介して保護制御装置１の設定開始手段３１１に渡す（ステップＳ１４２）。設定開始手段３１１は、設定中判定手段３２０や設定中外部端末装置情報取得手段６００と連携して、設定開始要求応答メッセージ１３１２Ａに乗せて設定開始要求応答手段３１２に渡す。
【０２６２】
まず、設定中判定手段３２０が設定種別に対応した設定中管理情報４１を設定中管理テーブルから取得し（ステップＳ４２）、他の外部端末装置が設定中であるか否か設定中フラグで確認する（ステップＳ４３）。設定中判定手段３２０は、他の外部端末装置が設定中でなければ設定許諾の旨を決定し（ステップＳ４６）、他の外部端末装置が設定中であれば、設定不許諾の旨を決定する（ステップＳ４４）。
【０２６３】
たとえば、保護制御装置１に接続することができる複数の外部端末装置３Ａ、３Ｂ、３Ｃがある中で、外部端末装置３Ａから伝送路２を介して保護制御装置１へ接続中である場合には、保護制御装置１の設定中外部端末装置情報取得手段６００は、設定中判定手段３２０での判定結果が「他設定中」の場合、ソケットＩＤをキーとして接続中管理テーブル３０Ａから、設定中の外部端末装置３Ｂの接続情報３１Ａ（ＩＰアドレス、ＭＡＣアドレス、ユーザＩＤ、アクセス権限、接続開始日時）を取得し（ステップＳ４５）、設定開始手段３１１により返信される設定開始要求応答メッセージ１３１２Ａに、設定中の外部端末装置３Ｂの接続情報３１１Ａを追加する。
【０２６４】
設定開始手段３１１は、設定開始要求不許諾の旨と設定中の外部端末装置３Ｂの接続情報３１Ａを設定開始要求応答メッセージ１３１２Ａに乗せて設定開始要求応答手段３１２に渡す（ステップＳ４７）。設定開始要求応答手段３１２と設定中外部端末装置情報表示手段６０１は、他の外部端末装置が設定中か否かを設定開始要求応答メッセージ１３１２Ａの内容から判断（ステップＳ１４４）する。
【０２６５】
他の外部端末装置が設定中でない場合には、設定画面が表示されるが（ステップＳ１４６）、他の外部端末装置が設定中である場合には、設定開始不可である旨の警告通知に、（要求不許諾の理由である）設定中の外部端末装置３Ｂの接続情報を図３５のように追加表示する（ステップＳ１４５）。
【０２６６】
なお、上述の接続状況情報の生成には、図３７の諸々の手段に加えて、図６〜図１０、図１２、図１３の諸々の手段が関わっている。
【０２６７】
このようにして、「他設定中」による設定開始不可である旨の警告通知に設定中の外部端末装置の接続情報を表示することによって、「他設定中」による設定開始不可になった際、どの外部端末装置が設定中なのか把握することができる。ひいては、複数の操作者がイーサネット（登録商標）等の伝送路を介した複数の外部端末装置により保護制御装置に対して同時に接続している場合でも、複数の外部端末装置間が容易に連携でき、単独での操作にも支障をきたさない運用保守性の高い保護制御システムを得ることができる。
【０２６８】
［実施の形態５の変形例］
実施の形態５では、外部端末装置３Ｂと競合するため選択不可能な操作が選択され、外部端末装置３Ｂの情報が外部端末装置３Ａの画面に表示されていた場合に、競合が解除された例を説明する。
【０２６９】
図３８は、保護制御システムにおいて、外部端末装置３Ａ、３Ｂの接続状況の遷移の一例を示す図である。
【０２７０】
図２、図３８を参照して、外部端末装置３Ａについては、接続開始日時が2011/04/12の09:03:56であり、ＩＰアドレスが10.160.119.63であり、ユーザＩＤがXEFH1234であり、アクセス権限がmonitorであり、設定種別は非実行であり、表示中画面が整定を実行する画面であることが示される。
【０２７１】
また、外部端末装置３Ｂについては、接続開始日時が2011/04/12の09:11:14であり、ＩＰアドレスが10.160.119.72であり、ユーザＩＤがRKAQ2345であり、アクセス権限がoperatorであり、設定種別は整定中であり、表示中画面が整定を実行する画面であることが示される。以上の図３８の上段に示す遷移前の状況は、図３４と同じである。
【０２７２】
図３８の下段に示す状況遷移後には、外部端末装置３Ｂの設定種別は非実行となり、外部端末装置３Ｂの表示中画面は試験設定の画面に変わっている。
【０２７３】
すなわち、図３８においては、状況遷移前では外部端末装置３Ａの表示中画面は外部端末装置３Ｂの表示中画面と同じであり、画面の使用が競合していたが、状況遷移後では外部端末装置３Ｂが整定終了して競合しなくなった状態が示されている。
【０２７４】
図３９は、実施の形態５の変形例で外部端末装置の画面に表示される画面例を示す図である。図３９の画面Ｇ９は、図３５の画面Ｇ８において、警告通知が消去され、新たな通知が表示されている。新たな通知には、「他の外部端末装置での設定中が解除されました。設定データが変更されている可能性がある為、設定データを再取得してください。」と記載されている。その記載の下には「再取得する」ことを指示するボタンと再取得を「後でする」ことを指示するボタンが表示されている。
【０２７５】
図４０は、実施の形態５の変形例で実行されるデータ再取得を促す表示に関する制御を説明するためのフローチャートである。
【０２７６】
図４１は、整定値設定中の他の外部端末装置が設定を終了したことを外部端末装置に報知する処理を説明するための図である。
【０２７７】
図３のＣＰＵ１０６は、図４１の接続状況取得手段１６１、設定データ取得手段３０１Ａ、設定中判定手段３２０、表示中画面登録手段４００および他設定中フラグ付加手段５００として動作する。また、図３のメモリ１０８には、図４１の設定中管理テーブル４０、設定データ格納テーブル６０、表示中画面管理テーブル７０および接続状況テーブル８０が記憶される。
【０２７８】
図４のＣＰＵ１１８は、図４１の設定データ取得要求手段３００Ａ、他設定中接続状況取得要求手段５０１および他設定中終了検出手段５０２として動作する。図４のＣＰＵ１１８および表示部１１２は、図４１の設定データ表示手段３０２として動作する。
【０２７９】
図４０、図４１を参照して、まず外部端末装置３Ａにおいて、保護制御装置１への設定データの表示要求操作がされたか否かが判断される（ステップＳ１５１）。外部端末装置３Ａにおいて、保護制御装置１のメイン整定画面へ遷移しようとする操作があると表示要求操作がされたと判断される。
【０２８０】
外部端末装置３Ａにおいて表示要求操作がされた場合には、設定データ取得要求手段３００Ａは設定データ取得要求メッセージ１３００Ａを伝送路２を介して保護制御装置１の設定データ取得手段３０１Ａに渡す（ステップＳ１５２）。
【０２８１】
設定データ取得手段３０１Ａが設定データ取得要求メッセージ１３００Ａを受信した場合には（ステップＳ５１でＹＥＳ）、設定データ取得手段３０１Ａは、設定中判定手段３２０や他設定中フラグ付加手段５００と連携して、要求された設定データとともに有効に設定された他設定中フラグを設定データ取得要求応答メッセージ１３０２Ａに乗せて設定データ表示手段３０２に渡す（ステップＳ５４）。
【０２８２】
設定データ表示手段３０２は取得した設定データをメイン整定画面に表示するが（ステップＳ１５３、Ｓ１５４、Ｓ１５７）、他設定中フラグが有効であったので現在表示中の画面を表示している間は、図４０のフローチャートの処理が周期的に実行され、他設定中接続状況取得要求手段５０１は周期的に接続状況取得要求メッセージ１１６０を伝送路２を介して保護制御装置１の接続状況取得手段１６１に渡す（ステップＳ５４）。接続状況取得手段１６１は、接続状況テーブル８０から外部端末装置３Ａ、３Ｂの接続状況情報８１を取得し、接続状況取得要求応答メッセージ１１６２に乗せて他設定中終了検出手段５０２に渡す（ステップＳ５４）。
【０２８３】
他設定中終了検出手段５０２は、要求応答メッセージを受信した際に（ステップＳ１５３でＹＥＳ）、取得した外部端末装置３Ｂの接続状況情報の設定種別「整定中」が終了したことを検出したら（ステップＳ１５４でＹＥＳ、ステップＳ１５５）、外部端末装置３Ａのメイン整定画面に表示している設定データを再取得するように促す旨の図３９のような通知を表示する（ステップＳ１５６）。
【０２８４】
なお、上述の接続状況情報の生成には、図４１の諸々の手段に加えて、図６〜図１０、図１２、図１３の諸々の手段が関わっている。
【０２８５】
図４１を参照して、さらに詳細に、接続中の保護制御装置の設定データを外部端末装置にて表示することに関わる保護制御システムの構成について説明する。
【０２８６】
図６等の場合と同様に図４１では、保護制御装置１に接続することができる複数の外部端末装置３Ａ、３Ｂ、３Ｃがある中で、外部端末装置３Ａから伝送路２を介して保護制御装置１へ接続中であるケースを想定する。
【０２８７】
外部端末装置３Ａの設定データ取得要求手段３００Ａは、設定データ画面への遷移時または周期更新させる設定データ画面表示中は、外部端末装置３Ａの接続情報１４Ａ（接続ＩＤ、ソケットＩＤ、ＩＰアドレス、ユーザＩＤ、アクセス権限、ＭＡＣアドレス）と設定種別１６と遷移先画面種別１８を盛り込んだ設定データ取得を要求する設定データ取得要求メッセージ１３００Ａを伝送路２を介して送信する。
【０２８８】
保護制御装置１の設定データ取得手段３０１Ａは、外部端末装置３Ａからの設定データ取得要求メッセージ１３００Ａを伝送路２を介して受信したことに応じて、要求された設定種別１６に対する設定中判定を設定中判定手段３２０に実行させる。設定中判定手段３２０からの判定結果が「他設定中」でないかに関わらず、要求された設定データを設定データ格納テーブル６０から取得し、要求元の外部端末装置３Ａへ設定データを載せた設定データ取得要求応答メッセージ１３０２Ａを伝送路２を介して返送する。なお、表示中画面の管理は表示中画面登録手段４００が実行する。
【０２８９】
保護制御装置１の表示中画面登録手段４００は、設定データ取得手段３０１Ａから入手したソケットＩＤおよび遷移先画面種別を１組の表示中画面情報７１として、表示中画面管理テーブル７０に登録する。ここで、表示中画面管理テーブル７０上では、同一ソケットＩＤの表示中画面情報７１は唯一となるように上書き更新される。
【０２９０】
保護制御装置１の他設定中フラグ付加手段５００は、設定データ取得要求応答メッセージ１３０２Ａに他設定中フラグを追加する。他設定中フラグ付加手段５００は、設定中判定手段３２０からの判定結果が「他設定中」の場合は他設定中フラグを有効に設定し、設定中判定手段３２０からの判定結果が「他設定中」ではない場合は他設定中フラグを無効に設定する。
【０２９１】
外部端末装置３Ａの他設定中接続状況取得要求手段５０１は、保護制御装置１から受信した設定データ取得要求応答メッセージ１３０２Ａの他設定中フラグが有効の場合、設定データ画面の設定開始操作を不可とし、設定データ画面表示中は周期的に接続状況取得要求メッセージ１１６０を伝送路２を介して保護制御装置１へ送信する。
【０２９２】
保護制御装置１の接続状況取得手段１６１は、各外部端末装置３Ａからの接続状況取得要求メッセージ１１６０を伝送路２を介して受信したことに応じて、接続状況テーブル８０からすべての接続状況情報８１を取得し、外部端末装置３Ａへ接続状況取得要求応答メッセージ１１６２を伝送路２を介して返送する。
【０２９３】
外部端末装置３Ａの他設定中終了検出手段５０２は、保護制御装置１からの接続状況取得要求応答メッセージ１１６２を伝送路２を介して受信したことに応じて、保護制御装置１に接続中の全外部端末装置３Ａ、３Ｂ、３Ｃの接続状況情報から、現在表示中の設定データ画面の設定種別の設定終了を検出した際に、図３９に示すような設定データの再取得を促す旨の通知を表示する。
【０２９４】
このようにして、現在表示中の設定データ画面に関する設定種別の他の外部端末装置での設定終了を検出した際に設定データの再取得を促す旨の通知を表示する。これによって、他の外部端末装置から保護制御装置に対して設定データの設定操作を行なっている最中でも、自らの外部端末装置で同じ設定データを表示することができる。また、他の外部端末装置による設定データの設定が終了を自らの外部端末装置で検知して設定データを再取得させることができる。さらに、複数の操作者がイーサネット（登録商標）等の伝送路を介した複数の外部端末装置により保護制御装置に対して同時に接続している場合でも、複数の外部端末装置間が容易に連携でき、単独での操作にも支障をきたさない運用保守性の高い保護制御システムを得ることができる。
【０２９５】
最後に、実施の形態１〜５について、再び図を参照して総括する。図１８、図３を参照して、本実施の形態の保護制御装置１は、複数の外部端末装置３Ａ〜３Ｃに伝送路２を介して同時に接続可能な伝送インタフェース部１２０と、電力系統の状況に基づいて遮断器に対する制御を行なうＣＰＵ１０６とを備える。ＣＰＵ１０６は、複数の外部端末装置３Ａ〜３Ｃのうちの第１の外部端末装置が接続状態にあり、第１の外部端末装置において複数の外部端末装置３Ａ〜３Ｃの他の外部端末装置の接続状態を表示する画面選択がされている場合には、図１７のフローチャートの処理を繰り返し実行することによって、保護制御装置１に同時に接続している外部端末装置の接続状況情報を周期的に第１の外部端末装置に対して返信する。第１の外部端末装置は返信された接続状況情報に基づいて、たとえば図１６に示すような画面を表示および表示の更新を行なう。
【０２９６】
好ましくは、接続状況情報（接続状況取得要求応答メッセージ１１６２に含まれる接続状況情報８１）は、複数の外部端末装置３Ａ〜３Ｃによって設定可能な複数の設定データ（整定値など）であって、図１８等に示すように、遮断器に対する制御に関連する複数の設定データの各々の種別を示す設定種別情報と、設定データを設定中である外部端末装置を特定する端末特定情報（ソケットＩＤ、ＩＰアドレスなど）とを含む。ＣＰＵ１０６は、複数の外部端末装置３Ａ〜３Ｃのうちの第１の外部端末装置が接続状態にあり、第１の外部端末装置において設定データを第１の外部端末装置から設定可能か否かを表示する画面選択（図２０の画面Ｇ３など）がされている場合には、接続状況情報を周期的に第１の外部端末装置に対して返信する。
【０２９７】
より好ましくは、ＣＰＵ１０６は、第１の外部端末装置にプログラムを送信する。外部端末装置３Ａ〜３Ｃの各々には、Ｊａｖａ（登録商標）ＶＭが搭載されている。このため、系統状態情報を画面上に表示するプログラムなどは、Ｊａｖａ（登録商標）の実行時に保護制御装置１内の系統状態情報格納装置（メモリ１０８等）から伝送路２を介してダウンロードされる。したがって、このようなプログラムを外部端末装置３Ａ〜３Ｃにインストールする必要はない。プログラムは、保護制御装置１から接続状況情報を受けて、第１の外部端末装置以外の外部端末装置が設定中である設定データに対応する設定画面を使用不可と判定し、第１の外部端末装置において設定可能な設定データに対応する設定画面を使用可と判定し、使用可と判定した画面名を一覧表示するように第１の外部端末装置を制御する。これにより、図２５または図２６に示すような画面が第１の外部端末装置の表示部に表示される。
【０２９８】
さらに好ましくは、このプログラムは、接続状況情報に基づいて、使用不可と判定した設定画面に遷移できないように、使用不可と判定した設定画面を選択できない態様（使用可能な画面と異なる文字色で画面名を表示したり、画面名を表示しないようにしたりするなど）でメニュー画面を表示するように、第１の外部端末装置を制御する。
【０２９９】
より好ましくは、ＣＰＵ１０６は、第１の外部端末装置にプログラムを送信する。外部端末装置３Ａ〜３Ｃの各々には、Ｊａｖａ（登録商標）ＶＭが搭載されている。このため、系統状態情報を画面上に表示するプログラムなどは、Ｊａｖａ（登録商標）の実行時に保護制御装置１内の系統状態情報格納装置（メモリ１０８等）から伝送路２を介してダウンロードされる。したがって、このようなプログラムを外部端末装置３Ａ〜３Ｃにインストールする必要はない。このプログラムは、保護制御装置１から接続状況情報を受けて、第１の外部端末装置以外の外部端末装置が設定中である設定データに対応する設定画面を使用不可と判定し、使用不可と判定された設定画面を選択する要求が入力された場合には、端末特定情報に基づいて選択された設定画面に対応する設定データを設定中である外部端末装置に関する情報を、たとえば図３５に示す画面Ｇ８のように追加表示するように、第１の外部端末装置を制御する。
【０３００】
より好ましくは、ＣＰＵ１０６は、第１の外部端末装置にプログラムを送信する。外部端末装置３Ａ〜３Ｃの各々には、Ｊａｖａ（登録商標）ＶＭが搭載されている。このため、系統状態情報を画面上に表示するプログラムなどは、Ｊａｖａ（登録商標）の実行時に保護制御装置１内の系統状態情報格納装置（メモリ１０８等）から伝送路２を介してダウンロードされる。したがって、このようなプログラムを外部端末装置３Ａ〜３Ｃにインストールする必要はない。このプログラムは、保護制御装置１から接続状況情報を周期的に受けて、第１の外部端末装置以外の外部端末装置が設定中であった設定データの設定が終了した場合には、たとえば図３９に示す画面Ｇ９のように、設定データの更新がされた可能性がある旨を報知する表示を行なうように、第１の外部端末装置を制御する。
【０３０１】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【符号の説明】
【０３０２】
１、１Ａ〜１Ｎ  保護制御装置、２  伝送路、３Ａ〜３Ｃ  外部端末装置、７Ａ〜７Ｎ  電気所、７ＧＳ１  電力供給側拠点、７ＧＳ２  装置提供側拠点、３０Ａ  接続中管理テーブル、４０  設定中管理テーブル、４１  設定中管理情報、５０  非設定データ格納テーブル、６０  設定データ格納テーブル、７０  表示中画面管理テーブル、７１  表示中画面情報、８０  接続状況テーブル、８１  接続状況情報、１００Ａ  接続開始要求手段、１０１Ａ  接続開始手段、１０２  アナログフィルタ、１０２Ａ  接続開始要求応答手段、１０４  Ａ／Ｄ変換器、１０８  メモリ、１０９  伝送インタフェース、１１０  メニューツリー画面表示手段、１１２  表示部、１１４  入力部、１１６  記憶部、１２０  伝送インタフェース部、１２０Ａ  接続自動終了手段、１３０  接続延長要求手段、１３１  接続延長手段、１３２  接続延長要求応答手段、１４０  接続終了要求手段、１４１Ａ  接続終了手段、１４２  接続終了要求応答手段、１５０  接続状況収集手段、１６０  接続状況取得要求手段、１６１  接続状況取得手段、１６２  接続状況表示手段、１６３  操作可否状況表示手段、１６４  使用可能画面一覧表示手段、１６５  メニューツリー使用可否反映手段、２００Ａ  非設定データ取得要求手段、２０１Ａ  非設定データ取得手段、２０２  非設定データ表示手段、３００Ａ  設定データ取得要求手段、３０１Ａ  設定データ取得手段、３０２  設定データ表示手段、３１０  設定開始要求手段、３１１  設定開始手段、３１２  設定開始要求応答手段、３２０  設定中判定手段、３３０  設定自動終了手段、３４０  設定延長要求手段、３４１  設定延長手段、３４２  設定延長要求応答手段、３５０  設定終了要求手段、３５１  設定終了手段、３５２  設定終了要求応答手段、４００  表示中画面登録手段、５００  他設定中フラグ付加手段、５０１  他設定中接続状況取得要求手段、５０２  他設定中終了検出手段、６００  設定中外部端末装置情報取得手段、６０１  情報表示手段、７３５  通信回線網、７３６Ａ、７３６Ｂ、７３６Ｎ、７３６Ｓ１、７３６Ｓ２  通信回線、ＣＢ  遮断器、ＣＴ  計器用変流器、７２３〜７２８、７３８Ａ〜７３８Ｎ  外部端末装置、７３７Ｂ、７３７Ｓ１、７３７Ｓ２  モバイル端末装置、Ｇ１〜Ｇ９  画面、１５  画面構成。
【図１】
2014017892.tif 000003
【図２】
2014017892.tif 000004
【図３】
2014017892.tif 000005
【図４】
2014017892.tif 000006
【図５】
2014017892.tif 000007
【図６】
2014017892.tif 000008
【図７】
2014017892.tif 000009
【図８】
2014017892.tif 000010
【図９】
2014017892.tif 000011
【図１０】
2014017892.tif 000012
【図１１】
2014017892.tif 000013
【図１２】
2014017892.tif 000014
【図１３】
2014017892.tif 000015
【図１４】
2014017892.tif 000016
【図１５】
2014017892.tif 000017
【図１６】
2014017892.tif 000018
【図１７】
2014017892.tif 000019
【図１８】
2014017892.tif 000020
【図１９】
2014017892.tif 000021
【図２０】
2014017892.tif 000022
【図２１】
2014017892.tif 000023
【図２２】
2014017892.tif 000024
【図２３】
2014017892.tif 000025
【図２４】
2014017892.tif 000026
【図２５】
2014017892.tif 000027
【図２６】
2014017892.tif 000028
【図２７】
2014017892.tif 000029
【図２８】
2014017892.tif 000030
【図２９】
2014017892.tif 000031
【図３０】
2014017892.tif 000032
【図３１】
2014017892.tif 000033
【図３２】
2014017892.tif 000034
【図３３】
2014017892.tif 000035
【図３４】
2014017892.tif 000036
【図３５】
2014017892.tif 000037
【図３６】
2014017892.tif 000038
【図３７】
2014017892.tif 000039
【図３８】
2014017892.tif 000040
【図３９】
2014017892.tif 000041
【図４０】
2014017892.tif 000042
【図４１】
2014017892.tif 000043